(57)【要約】  本発明は、標的分子に対して結合親和性を有する分子を同定するために、イムノアッセイ(ＩＡ)と電気化学発光アッセイ(ＥＣＬＡ)を併用したクロススクリーニングシステムと方法に関する。本発明のクロススクリーニングシステムと方法は、イムノアッセイ又はＥＣＬＡのそれぞれの検出限界以下にある標的分子に対する結合親和性を有する分子を検出することができる。本発明のクロススクリーニングシステムと方法は、所望の特性、例えば標的分子に値する低結合親和性について濃縮された候補分析物分子のプールを生成するのに有用である。本発明のクロススクリーニングシステムと方法によって同定された低親和性抗体は、例えば生物学的治療法の安全性及び有効性を評価するにの有用である。【特許請求の範囲】
【請求項１】
標的分子に選択的に結合する候補分析物分子にて、分析物分子のプールを濃縮する方法であって、
(ａ)標的分子に結合する分析物分子のプールの各々のメンバーについてＥＣＬＡ反応を測定すること；
(ｂ)標的分子に結合する分析物分子のプールの各々のメンバーについてＩＡ反応を測定すること；
(ｃ)   i) ＩＡ−／ＥＣＬＡ＋で、低親和性分析物分子について濃縮されたもの；
ii) ＩＡ＋／ＥＣＬＡ＋またはＩＡ＋／ＥＣＬＡで、高親和性分析物分子について濃縮されたもの；ないしは
iii)ＩＡ＋／ＥＣＬＡ−で、ＥＣＬＡに認識されない結合部位で標的分子に結合する分析物分子について濃縮されたもの；
を含む候補分析物分子のプールを生成すること；
を含んでなる方法。
【請求項２】
前記候補分析物分子のプールがＩＡ−／ＥＣＬＡ＋であり、低親和性分析物分子について濃縮されている、請求項１に記載の方法。
【請求項３】
前記候補分析物分子のプールがＩＡ＋／ＥＣＬＡ＋又はＩＡ＋／ＥＣＬＡ−であり、高親和性分析物分子について濃縮されている、請求項２に記載の方法。
【請求項４】
前記候補分析物分子のプールがＩＡ＋／ＥＣＬＡ−で、ＥＣＬＡに認識されない結合部位で標的分子に結合する分析物分子について濃縮されている、請求項２に記載の方法。
【請求項５】
分析物分子のプールから候補低親和性分析物分子を同定する方法であって、
(ａ)標的分子に結合する分析物分子のプールの各々のメンバーについてＥＣＬＡ反応を測定すること；及び
(ｂ)標的分子に結合する分析物分子のプールの各々のメンバーについてＩＡ反応を測定すること；
を含み、ＩＡ−／ＥＣＬＡ＋である分析物分子が候補低親和性分子として同定される方法。
【請求項６】
(ａ)検出限界をＥＣＬＡ反応の分析にあてはめて、ＥＣＬＡ反応がＥＣＬＡ検出限界と同じかより大きければＥＣＬＡ＋分析物分子と同定し、ＥＣＬＡ反応がＥＣＬＡ検出限界より小さければＥＣＬＡ−分析物分子と同定すること；及び
(ｂ)検出限界をＥＬＩＳＡ反応の分析にあてはめて、ＥＬＩＳＡ反応がＥＬＩＳＡ検出限界と同じかより大きければＥＬＩＳＡ＋であり、ＥＬＩＳＡ反応がＥＬＩＳＡ検出限界より小さければＥＬＩＳＡ−である；
ことをさらに含む、請求項１ないし５の何れか一に記載の方法。
【請求項７】
前記ＥＬＩＳＡ検出限界は６５０ｎｍで０．５Ｏ.Ｄ.である、請求項６に記載の方法。
【請求項８】
前記ＥＣＬＡ反応の検出限界は２５０ＥＣＬＡである、請求項６に記載の方法。
【請求項９】
さらに、濃縮された候補分析物分子のプールから選択される分析物分子の特異的な結合親和性を確認することを含む、請求項１ないし８の何れか一に記載の方法。
【請求項１０】
およそ１０−６ｌ／秒か又は小さいＫｄｉｓｓｏｃにより高親和性分析物分子を同定する、請求項９に記載の方法。
【請求項１１】
およそ１０−６ｌ／秒より大きいＫｄｉｓｓｏｃにより低親和性分析物分子を同定する、請求項９に記載の方法。
【請求項１２】
およそ１０−５ｌ／秒より大きいか同じＫｄｉｓｓｏｃにより低親和性分析物分子を同定する、請求項９に記載の方法。
【請求項１３】
およそ１０−３ｌ／秒より大きいか同じＫｄｉｓｓｏｃにより低親和性分析物分子を同定する、請求項９に記載の方法。
【請求項１４】
およそ１０−８Ｍと同じかより大きいＫＤにより低親和性分析物分子を同定する、請求項９に記載の方法。
【請求項１５】
およそ１０−６Ｍからおよそ１０−８ＭのＫＤにより低親和性分析物分子を同定する、請求項９に記載の方法。
【請求項１６】
前記分析物分子が抗体ないしはその抗原結合部位である、請求項１ないし１５の何れか一に記載の方法。
【請求項１７】
前記抗体が抗治療的抗体である、請求項１６に記載の方法。
【請求項１８】
前記標的分子が抗原である、請求項１ないし１７の何れか一に記載の方法。
【請求項１９】
前記抗原が抗体ないしはその抗原結合部位である、請求項１８に記載の方法。
【請求項２０】
前記標的分子が、抗体ないしはその抗原結合断片である、請求項１ないし１７の何れか一に記載の方法。
【請求項２１】
前記抗体が治療的抗体である、請求項１９又は２０に記載の方法。
【請求項２２】
前記抗体がＣＤ２０に結合する、請求項２１に記載の方法。
【請求項２３】
前記抗体がＶＥＧＦに結合する、請求項２１に記載の方法。
【請求項２４】
前記抗体がモノクローナルである、請求項１６ないし１７、又は１９ないし２３の何れか一に記載の方法。
【請求項２５】
さらに、抗体のアイソタイプを決定することを含む、請求項１６ないし１７、又は１９ないし２４の何れか一に記載の方法。
【請求項２６】
前記抗体がＩｇＧである、請求項１６ないし１７、又は１９ないし２５の何れか一に記載の方法。
【請求項２７】
請求項１ないし２６の何れか一に記載の方法を用いて選択された１０−２から１０−６の範囲のＫｄｉｓｓｏｃを有する抗体。
【請求項２８】
請求項１ないし２７の何れか一に記載の方法を用いて選択された１０−６Ｍから１０−８Ｍの範囲のＫＤを有する抗体。
【請求項２９】
抗治療的抗体である、請求項２７又は２８に記載の抗体。
【発明の詳細な説明】
【発明の開示】
【０００１】
（発明の背景）
低親和性抗体は併用療法などの治療用途に有用である。また、低親和性抗体は薬剤開発においても有用である。例えば、高親和性抗体は特定の治療的分子について得ることが難しい一方で、低親和性抗体は有用な親和性成熟抗体の開発の出発点として役立ちうる。
治療的分子の規制当局の許可を必要とする抗治療的分子抗体アッセイには低親和性抗体が必要である。そのようなアッセイには、治療的分子の安全性と有効性を評価するために重要な、望まない免疫反応を検出するための感度の高い、有効な方法が必要である。
抗治療的分子抗体は治療の異なる領域を標的とし、異なる結合親和性とアイソタイプを表しうる。免疫反応のポリクローナル性質を模倣するばらつきのある抗治療的分子抗体のパネルは、抗治療的分子抗体をより正確に評価するために望ましい。
高親和性抗体についてのハイブリドーマクローンのスクリーニングは、以前からＥＬＩＳＡ技術が使われていた。しかしながら、ＥＬＩＳＡは低親和性抗体のスクリーニングには有効でない。ＥＬＩＳＡは抗原に結合する抗体を同定するが、該アッセイは低い親和性で結合する抗体を容易に同定することはできない。多くの低親和性抗体は、高信号雑音比を確保することが必要な複数の洗浄工程で失われる。しかしながら、これらの低親和性抗体を残すために洗浄工程を最小限にすれば、信号雑音比を減少することによってアッセイの感度が低くなる。
【０００２】
電気化学発光アッセイ(ＥＣＬＡ)には最小限数の洗浄が必要であり、これによってＥＣＬＡシステムは従来のＥＬＩＳＡ法によって除去されていた低親和性抗体の検出を可能にした。しかしながら、単にＥＬＩＳＡをＥＣＬＡに置き換えたのではよい解決策とならない。ＥＬＩＳＡのように、ＥＣＬＡは低い親和性で結合する抗体を容易に同定することはできない。加えて、ＥＣＬＡに用いられる標識試薬は潜在的に抗体の結合性質を変更しうる。したがって、ＥＣＬＡは従来のＥＬＩＳＡ法によって別の方法で保持されていた抗体を保持し損ないうる。
有効なアッセイシステムと方法は、低親和性抗体、種々のエピトープに反応する抗治療的分子抗体などを含む特定の性質を有するものを同定するために、抗体などの分析物分子のプールをスクリーニングするために非常に必要とされている。特に、標的分子の異なる結合部位に反応する分析物分子を含むと思われるもの、ないしは所望の親和性（低親和性又は高親和性）を有するもので濃縮(エンリッチ)された分析物分子のプールを同定するためには、有効で信頼できる方法がとても有用であろう。
【０００３】
（発明の概要）
本発明は、標的分子に対して選択的結合親和性を有する抗体などの分析物分子を同定するための、ＥＣＬＡを用いたイムノアッセイを交叉させる方法とクロススクリーニングシステムを提供する。分析物分子は、低又は高結合親和性及び／又は標的分子の異なる結合部位に結合するなどの特定の性質を有するものとして同定される。本発明のクロススクリーニングシステムと方法は、イムノアッセイ(ＩＡ)又はＥＣＬＡそれぞれの検出限界以下である分析物分子を検出する。標的分子への結合は、ＥＬＩＳＡ及びＥＣＬＡなどの両イムノアッセイ法でアッセイされる。
一般的に、本発明のクロススクリーニングシステムと方法は以下の工程で行う：(１)標的分子に結合する分析物分子のプール中の個々のメンバーについてＥＣＬＡ反応を測定する；(２)標的分子に結合する分析物分子のプール中の個々のメンバーについてＩＡ反応を測定する；そして(３)所望の性質、例えば低又は高結合親和性ないしは種々の抗原エピトープに濃縮された候補分析物分子のプールを生成する。
分析物分子の大きなプールからデータを取り、ＩＡ＋又はＩＡ−；ＥＣＬＡ＋又はＥＣＬＡ−として評価する。ＩＡ＋／ＥＣＬＡ＋、ＩＡ−／ＥＣＬＡ＋又はＩＡ＋／ＥＣＬＡ−である分子を、標的分子に特異的に結合する分析物分子として同定する。
【０００４】
候補分析物分子は、ＥＣＬＡ及びＩＡ反応それぞれに基づいて生成された分析物分子の濃縮プール、例えばＩＡ−／ＥＣＬＡ−、ＩＡ＋／ＥＣＬＡ−、ＩＡ−／ＥＣＬＡ＋、又はＩＡ＋／ＥＣＬＡ＋から選択する。分析物分子及び／又は標的分子は抗体でありうる。一実施態様では、標的分子は治療的抗体であり、分析物分子は抗治療的抗体である。
ある実施態様では、ＩＡ及びＥＣＬＡ反応はそれぞれのアッセイの検出限界内で検出される。ＥＣＬＡ検出限界と同じ、又はより大きいＥＣＬＡ反応はＥＣＬＡ＋である。ＥＣＬＡ検出限界より小さいＥＣＬＡ反応はＥＣＬＡ−である。ＩＡ検出限界と同じ、又はより大きいＩＡ反応はＩＡ＋である。ＩＡ検出限界より小さいＩＡ反応はＩＡ−である。候補低親和性分析物分子はＩＡ−／ＥＣＬＡ＋である。候補高親和性分析物分子はＩＡ＋／ＥＣＬＡ＋又はＩＡ＋／ＥＣＬＡ−である。ＩＡ＋／ＥＣＬＡ−である分析物分子には、例えばＥＣＬＡで行われる化学標識ないしはビオチンによって、ＥＣＬＡアッセイで遮蔽(マスク)された又は変更された結合部位で標的分子に結合する候補分析物分子が含まれる。
【０００５】
本発明のクロススクリーニングシステムと方法は、場合によって、例えば、Biacoreなどの表面プラズモン共鳴分析、競合的ＥＬＩＳＡ、平衡透析、放射性イムノアッセイなどによって候補分析物分子の特定の結合親和性を確認することを含む。例えば、１０−６ｌ／秒以上のＫｄｉｓｓｏｃ又は１０−８Ｍと同じか又はより大きいＫＤを示す候補低親和性分析物分子は、低親和性抗体として確認できる。本発明のクロススクリーニングシステムと方法によって同定された低親和性分析物分子は、一般に、１０−５ｌ／秒と同じかそれ以上のＫｄｉｓｓｏｃ又はおよそ１０−６〜およそ１０−８ＭのＫＤを示す。
本発明のクロススクリーニングシステムと方法は、場合によって、例えばアイソタイピングＥＬＩＳＡによって、抗体である候補分析物分子のアイソタイプを確認することを含む。
また、本発明のクロススクリーニングシステムと方法を用いて、試料中の少量の分析物を検出することができる。例えば、本発明のクロススクリーニングシステムと方法を用いて、標的分子に対する親和性を有する低濃度の抗体を産生するハイブリドーマを同定することができる。上清中の抗体の濃度は、イムノアッセイ又はＥＣＬＡそれぞれの検出限界以下であり、本発明のクロススクリーニングシステムと方法（例えばＥＣＬＡ−／ＩＡ＋又はＥＣＬＡ＋／ＩＡ−）の検出限界ではない。
【０００６】
スクリーニングシステムと方法は、小分子、ポリペプチド又はポリペプチド断片などの分析物分子をスクリーニングするのに有用である。システムと方法は、抗体、可溶性レセプター又はそれらの断片をスクリーニングするのに特に有用である。抗体はモノクローナルでありうる。ある実施態様では、抗体はモノクローナル抗治療的分子抗体である。
典型的に、標的分子は小分子、ポリペプチド又はポリペプチド断片である。標的分子は、例えば、分析物が抗体である場合には抗原であり、分析物が小分子又はポリペプチドである場合にはレセプター又は抗体であり、分析物が可溶性レセプターである場合にはポリペプチド又は小分子であり、あるいは、分析物がポリペプチド又は小分子である場合にはファージ発現抗体、可溶性レセプター又はそれらの断片でありうる。標的分子は治療的活性を有するポリペプチド又は抗体でありうる。標的分子が治療的抗体又は治療的ポリペプチドである場合、クロススクリーニングシステムと方法は低親和性分析物分子を同定することができる。
【０００７】
本発明のクロススクリーニングシステムと方法は多くの用途がある。本発明のシステムと方法を用いて、治療的分子を投与されている又は投与間近にある患者の血清から治療的分子に対する抗体についてスクリーニングすることができる。本発明のシステムと方法を用いて、レセプター、抗体、ポリペプチド、小分子などのライブラリを、特異的結合特性を有して標的分子に結合するライブラリメンバーについてスクリーニングすることができる。
本発明のクロススクリーニングシステムと方法によって同定された低親和性抗体は、臨床試験における治療的分子の有効性と安全性を評価するための抗治療的分子アッセイにおいて特に有用である。また、本発明のクロススクリーニングシステムと方法によって同定された低親和性抗体は、親和性成熟抗体を開発するための出発点として役立ちうる。
【０００８】
（好ましい実施態様の詳細な説明）
Ｉ．定義
本願明細書において用いられる「イムノアッセイ（ＩＡ）」なる用語は、結合した分析物が検出用薬剤に結合した標識成分によって検出される血清学的アッセイを意味する。イムノアッセイには、ラジオイムノアッセイ（放射標識免疫定量）、蛍光発光アッセイ（ＦＬＡ）、化学発光アッセイ（ＣＬＡ）及び酵素結合性免疫吸着アッセイ（ＥＬＩＳＡ）を含むが、これに限定されるものではない。ＥＬＩＳＡ法は、例えば国際公報０１／３６９７２に記述される。イムノアッセイは、分析物分子、例えば抗原などの標的分子に結合する抗体の存在を検出するために有用である。
「検出する」という用語は、特定の分子、本明細書中では抗治療的抗体などの特定の分析物分子の定性的及び定量的測定の両方を含む最も広い意味で用いられる。ある側面では、ここで記述されている検出方法は、試料中の対象とする分析物分子の単なる存在を同定するために使用される。他の態様では、本方法を用いて試料中の分析物分子の量を定量することができる。さらに他の態様では、本発明を用いて標的分子に対する対象とする分析物分子の相対的な結合親和性を測定することができる。
【０００９】
「検出用試薬」なる用語は、検出用試薬に結合しうる例えば蛍光、酵素、放射性、又は化学発光標識を介して直接的に、ないしは、検出用試薬に特異的に結合する抗体やレセプターなどの標識された結合パートナーを介して間接的に、分析物分子を検出する試薬を意味する。検出用試薬の例として、抗体、抗体断片、可溶性レセプター、レセプター断片などを含むが、これに限定されるものではない。ある実施態様では、検出用薬剤はファージ上で発現されうる。
「標識」なる用語は、検出用薬剤により産生されるシグナルを増幅する薬剤を含む。標識は、放射線性、光発光性、化学発光性、又は電気化学発光性化学成分、無色の基質を有色の産物に変換する酵素などであってもよい。
【００１０】
「捕捉(capture)試薬」なる用語は、試料中の標的分子又は分析物分子を結合して捕捉できる試薬を指す。一般的に、捕捉試薬は、例えば、固体基質、例えば微小粒子ないしはビーズ、マイクロタイタープレート、カラム樹脂などに固定される。捕捉試薬は、抗原、可溶性レセプター、抗体、異なる抗体の混合物などであってもよい。
「標的分子」なる用語は、本発明のクロススクリーニングシステムと方法により同定される分析物分子の特定の結合標的を指す。標的分子は、一般的に小分子、ポリペプチド又はポリペプチド断片である。標的分子は、例えば、分析物分子が抗体である場合には抗原であり、分析物分子が小分子又はポリペプチドである場合にはレセプター又は抗体であり、分析物分子が可溶性レセプターである場合にはポリペプチド又は小分子であり、分析物分子がポリペプチド又は小分子である場合にはファージ発現抗体、可溶性レセプター又はそれらの断片でありうる。標的分子は、例えば、治療的活性を有するポリペプチド又は抗体であってもよい。一実施態様では、標的分子は治療的抗体であり、分析物分子は治療的抗体を結合する抗治療的抗体である。
【００１１】
本願明細書において用いられる「分析物」及び「分析物分子」は、本発明のクロススクリーニングシステムと方法によって分析される分子を指し、小分子、ポリペプチド、ポリペプチド断片、抗体、抗体断片、ファージ、ディスプレイポリペプチドなどが含まれるが、これに限定されるものではない。本発明のクロススクリーニングシステムと方法において、分析物分子は標的分子に対する結合能を有する。
「ポリペプチド」は、ペプチド結合によって結合される２以上のアミノ酸を含有するペプチド又はタンパク質を指し、ペプチド、オリゴマー、タンパク質などが含まれる。ポリペプチドは、天然、変性あるいは合成したアミノ酸を含有してもよい。また、ポリペプチドは、例えば翻訳後プロセシングによって天然に、又は、アミド化アシル化、架橋などのような化学的に修飾されてもよい。
ここで使用しているように「抗治療的抗体」は、治療的抗体を結合する抗体である。例えば、抗２Ｈ７抗体は治療的抗体である２Ｈ７を結合する抗体である。
【００１２】
本願明細書において用いられる「低親和性」は、一般に標的分子に対して１０−６ｌ／秒より大きな解離速度定数（Ｋｄｉｓｓｏｃ）を有する分析物分子を意味する。好ましくは、標的分子に対する分析物分子のＫｄｉｓｓｏｃが、１０−５ｌ／秒以上、１０−４ｌ／秒以上、１０−３ｌ／秒以上、又は１０−２ｌ／秒以上である。有用な低親和性抗体は、一般的におよそ１０−３〜１０−５ｌ／秒の解離速度定数を有する。高い解離速度定数（Ｋｄｉｓｓｏｃ）を有する分子は、平衡解離定数（ＫＤ＝Ｋｄｉｓｓｏｃ／Ｋａｓｓｏｃ）として、低親和性を有するようである。およそ１０−８Ｍかないしはそれ以上の平衡定数（ＫＤ）を有する分子は、低結合能を有する。例えば、有用な低親和性抗体は、およそ１０−６Ｍ〜およそ１０−８ＭのＫＤを有しうる。
電気化学発光アッセイ又は「ＥＣＬＡ」は、結合した分析物分子が検出用薬剤（標的分子）に結合した標識によって検出される電気化学的アッセイである。電極は、検出用試薬に結合した化学的標識の発光を電気化学的に起こす。標識によって発される光を光検出器で測定し、結合した分析物分子／標的分子複合体の存在又は量を示す。ＥＣＬＡ法は、例えば、米国特許第５,５４３,１１２号；同第５,９３５,７７９号；及び同第６,３１６,６０７号に記載される。信号調節を、正確で感度が高い測定値のために異なる分析物分子濃度について最大にしてもよい。
【００１３】
微小粒子は、分析物を濃縮するために、ＩＡ又はＥＣＬＡ試料に懸濁してもよい。例えば、粒子は、０．０５μｍ〜２００μｍ、０．１μｍ〜１００μｍ、又は０．５μｍ〜１０μｍの直径と、分析物分子の結合が可能な表面成分を有しうる。ある実施態様では、微小粒子はおよそ３μｍの直径を有する。微小粒子は、架橋澱粉、デキストラン、セルロース、タンパク質、有機ポリマー、スチレンコポリマー、例として、スチレン／ブタジエンコポリマー、アクリロニトリル／ブタジエン／スチレンコポリマー、ビニルアセチルアクリレートコポリマー、塩化ビニル／アクリレートコポリマー、不活発な無機粒子、二酸化クロム、鉄の酸化物、二酸化ケイ素、二酸化ケイ素混合物、タンパク質性物質又はその混合物で形成されてもよく、セファロースビーズ、ラテックスビーズ、シェル-コア粒子などが含まれるが、これらに限定するものではない。 微小粒子は好ましくは単分散性であり、磁気、例えば正磁性ビーズであってもよい。 例として、米国特許第４,６２８,０３７号；同第４,９６５,３９２号；同第４,６９５,３９３号；同第４,６９８,３０２号；及び同第４,５５４,０８８号を参照のこと。 微小粒子は、およそ１〜１００００のμｇ／ｍｌ、好ましくは５〜１０００μｇ／ｍｌの範囲の量で用いられてもよい。
【００１４】
特定のアッセイにおける分析物分子の「検出限界」は、そのアッセイのバックグラウンドレベルより上に検出されうる分析物分子の最小濃度である。例えば、ＩＡおよびＥＣＬＡでは、特異的に標的分子を結合する分析物分子の検出限界は、標的抗原を結合しない、あるいは非特異的に結合する対照抗体によって生産される場合より上のＩＡシグナル又はＥＣＬＡシグナルを生産する分析物分子の濃度でありうる。ＩＡ検出限界未満のＩＡ反応を有する分子は、ＩＡ−である。ＩＡ検出限界以上のＩＡ反応を有する分子は、ＩＡ＋である。ＥＣＬＡ検出限界未満のＥＣＬＡ反応を有する分子は、ＥＣＬＡ−である。ＥＣＬＡ検出限界と同じかあるいはそれより大きいＥＣＬＡ反応を有する分子は、ＥＣＬＡ＋である。検出限界は、所望のアッセイ結果を達成するために上下してもよい。
「抗体」なる用語は、最も広義の意味で用いられ、具体的には、単一のモノクローナル抗体（アゴニスト及びアンタゴニスト抗体を含む）、ポリエピトープの特異性を有する抗体組成物、親和性成熟された抗体、ヒト化抗体、キメラ抗体、単鎖抗原結合分子、例えばモノボディ、並びに所望の生物活性を表す抗原結合断片又はポリペプチド（例えば、Ｆａｂ、Ｆ（ａｂ'）２、ｓｃＦｖ、及びＦｖ）が含まれる。抗体は天然でも合成でもよい。
【００１５】
「天然の」又は「天然に生じる」抗体は、非合成の供与源、例えば、生体外で得た分化した抗原特異性Ｂ細胞ないしはその対応するハイブリドーマ細胞株、又は動物の血清に由来する。これらは天然か他の方法で誘導された何れかの種類の免疫反応で生成された抗体を含む。本明細書中で用いられる、天然の抗体は「合成抗体」、すなわち、例えば、置換、欠損ないしは一以上のアミノ酸の付加によって変異させて供給源の抗体配列と異なる抗体配列となった抗体配列を指す合成抗体とは異なる。
【００１６】
ここで使用される「モノクローナル抗体」という用語は、実質的に均一な抗体の集団から得られる抗体を意味する、すなわち、集団に含まれる個々の抗体が、少量で存在しうる天然に生じる可能性のある突然変異を除いて同一である。モノクローナル抗体は高度に特異的であり、一つの抗原部位に対している。さらに、典型的に異なる決定基(エピトープ)に対する異なる抗体を含む従来の（ポリクローナル）抗体調製物と比べて、各モノクローナル抗体は、抗原上の単一の決定基に対するものである。「モノクローナル」との修飾詞は、抗体の実質的に均一な集団から得た抗体の特性を表し、抗体を何か特定の方法で生成しなければならないことを意味するものではない。例えば、本発明で用いられるモノクローナル抗体は、最初にKohler等, Nature 256, 495 (1975)により記載されたハイブリドーマ法によって作ることができ、あるいは組換えＤＮＡ法によって、作ることができる(例えば、米国特許第４８１６５６７号参照)。また「モノクローナル抗体」は、例えばClackson等, Nature 352:624-628(1991)、及びMarks等, J. Mol. Biol. 222:581-597(1991)に記載された技術を用いてファージ抗体ライブラリーから単離することもできる。
ここで、モノクローナル抗体は、重鎖及び／又は軽鎖の一部が、特定の種由来の抗体、あるいは特定の抗体クラス又はサブクラスに属する抗体の対応する配列と同一であるか又は相同性があり、鎖の残りの部分が他の種由来の抗体、あるいは他の抗体クラス又はサブクラスに属する抗体の対応する配列と同一であるか又は相同である「キメラ」抗体（免疫グロブリン）、並びにそれが所望の生物的活性を有する限りこのような抗体の断片を特に含む(米国特許第４８１６５６７号;及びMorrison等, Proc. Natl. Acad. Sci. USA, 81:6851-6855(1984))。
【００１７】
非ヒト(例えばマウス)抗体の「ヒト化」形とは、非ヒト免疫グロブリンから得られた最小配列を含むキメラ抗体である。大部分において、ヒト化抗体は、レシピエントの高頻度可変領域の残基が、マウス、ラット、ウサギ又は非ヒト霊長類のような所望の特異性、親和性及び能力を有する非ヒト種(ドナー抗体)の高頻度可変領域の残基によって置換されたヒト免疫グロブリン(レシピエント抗体)である。ある場合には、ヒト免疫グロブリンのＦｖフレームワーク領域(ＦＲ)残基は、対応する非ヒト残基によって置換される。さらに、ヒト化抗体は、レシピエント抗体にもドナー抗体にも見出されない残基を含んでいてもよい。これらの修飾は抗体の特性をさらに洗練するために行われる。一般的に、ヒト化抗体は、全て又はほとんど全ての高頻度可変ループが非ヒト免疫グロブリンのものに一致し、全て又はほとんど全てのＦＲ領域がヒト免疫グロブリン配列である、少なくとも１つ、典型的には２つの可変ドメインの実質的に全てを含む。ヒト化抗体は、状況に応じて免疫グロブリン定常領域(Ｆｃ)、典型的にはヒトの免疫グロブリンの定常領域の少なくとも一部を含む。さらなる詳細は、Jones等, Nature 321, 522-525(1986)；Riechmann等, Nature 332, 323-329(1988)；及びPresta, Curr. Op. Struct. Biol. 2, 593-596(1992)を参照のこと。また、ヒト化抗体の重鎖及び軽鎖可変ドメインは、例えばCarterの米国特許第６０５４２９７号に記載のようなコンセンサスフレームワーク領域を含みうる。
【００１８】
「Ｆｖ」断片は、完全な抗原認識および結合部位を含む抗体断片である。この領域は、堅く結合した重鎖可変ドメイン１つと軽鎖可変ドメイン１つの二量体から成り、その結合は自然界では例えばｓｃＦｖにおけるように共有結合である。各可変ドメインの３つのＣＤＲが相互作用してＶＨ−ＶＬ二量体の表面の抗原結合部位を確定するのはこの構成である。この６つのＣＤＲまたはそのサブセットは、共同して抗体に抗原結合特異性を賦与する。しかし、単一の可変ドメイン（抗原に特異的なＣＤＲを３つしか含んでいない）でさえ、抗原を認識して結合する能力を有する。
「Ｆａｂ」断片は、軽鎖の可変および定常ドメインと重鎖の可変ドメインおよび第１の定常ドメイン（ＣＨ１）を含む。Ｆ(ａｂ')２抗体断片は一対のＦａｂ断片を含み、通常これらはその間にあるヒンジシステインによってそのカルボキシ末端の近くで共有結合により連結される。抗体断片の他の化学的結合も当技術分野で公知である。
【００１９】
「単鎖Ｆｖ」または「ｓｃＦｖ」抗体断片は抗体のＶＨおよびＶＬドメインを含み、これらのドメインは単一のポリペプチド鎖に存在する。通常、ＦｖポリペプチドはＶＨおよびＶＬドメインの間にポリペプチドリンカーをさらに含み、このリンカーはｓｃＦｖが抗原結合にとって望ましい構造を形成するのを可能にする。ｓｃＦｖのレビューに関しては、Pluckthun, The Pharmacology of Monoclonal Antibodies, Vol.113, RosenburgおよびMoore編, Springer-Verlag, New York, 269-315頁(1994)を参照。
「ダイアボディ（ｄｉａｂｏｄｙ）」なる用語は、抗原結合部位を２つ備える小さな抗体断片を指し、この抗体断片は同じポリペプチド鎖（ＶＨおよびＶＬ）内で軽鎖可変ドメイン（ＶＬ）に連結した重鎖可変ドメイン（ＶＨ）を含む。同じ鎖の上の２つのドメインの間で対合させるにはあまりに短いリンカーを用いて、このドメインを他の鎖の相補性ドメインと強制的に対合させ、２つの抗原結合部位をつくる。ダイアボディについては、例えば欧州特許第４０４０９７号；国際公報９３／１１１６１号；およびHollinger他, Proc.Natl.Acad.Sci.USA, 90:6444-6448頁(1993)でさらに詳しく記載されている。
【００２０】
「線状抗体」なる表現は、Zapata他, Protein Eng., 8(10):1057-1062頁(1995)に記載されている抗体を指す。つまり、これらの抗体は相補性の軽鎖ポリペプチドと共に一対の抗原結合領域を形成する、一対のタンデムＦｄセグメント（ＶＨ−ＣＨ１−ＶＨ−ＣＨ１）を含む。線状抗体は二重特異性または単一特異性であり得る。
本明細書中で用いられる「モノボディ」なる用語は、重鎖可変ドメインを有し、軽鎖可変ドメインを有しない抗原結合分子を指す。モノボディは、軽鎖の非存在下で抗原と結合することができ、一般的に、ＣＤＲＨ１、ＣＤＲＨ２及びＣＤＲＨ３と称される３つのＣＤＲ領域を有する。重鎖ＩｇＧモノボディは、ジスルフィド結合によって連結される２つの重鎖抗原結合分子を有する。重鎖可変ドメインは、一つ以上のＣＤＲ領域、好ましくはＣＤＲＨ３領域を含んでなる。「ＶｈＨ」又は「ＶＨＨ」は、重鎖抗体、例えばモノボディの可変ドメインを指す。
【００２１】
本願明細書中で用いられるように、分析物分子のプールを「濃縮する」とは、分析物分子のより大きなプールから所望の性質を有する分析物分子のプールを生成するための分析手段を意味する。本発明のシステムと方法によるクロススクリーニング親和性データにより、所望の特徴を欠く分析物分子が取り除かれ、その結果、所望の特徴を有する分析物分子について濃縮された分析物分子のプールとなった。例えば、下記の実施例に記載されるように、候補抗治療的抗体のプールのＥＬＩＳＡ及びＥＣＬＡ分析から得られたスクリーニング親和性データにより、ＥＬＩＳＡ−／ＥＣＬＡ＋反応を示す抗体が候補低親和性抗治療的抗体について濃縮された候補抗体のプールを形成する。
「ライブラリ」なる用語は、配列内に導入する変異型アミノ酸の組合せによって異なる配列であるポリペプチドないしはポリペプチド断片配列の複数を意味する。ある実施態様では、ポリペプチド又はポリペプチド断片配列は抗体又は抗体断片配列である。
【００２２】
「ファージディスプレイ」は、変異体ポリペプチドをファージ、例えば繊維状ファージの粒子表面上のコートタンパク質と融合したタンパク質として提示する手法である。ファージディスプレイの有用さは、ランダム化タンパク質変異体の大きなライブラリから標的分子と高親和性で結合する配列を迅速に、効率的に選別できることにある。ファージ上のペプチドおよびタンパク質ライブラリの提示は、何百万ものポリペプチドを特異的結合特性に関してスクリーニングするために利用されてきた。多価ファージディスプレイ方法は、繊維状ファージの遺伝子ＩＩＩまたは遺伝子ＶＩＩＩとの融合を介して小さなランダムペプチドおよび小タンパク質を提示するために利用されてきた。WellsおよびLowman, Curr.Opin.Struct.Biol., 3:355-362頁(1992)とその中の引用文献。一価のファージディスプレイでは、タンパク質またはペプチドのライブラリーが遺伝子ＩＩＩまたはその一部に融合され、ファージ粒子が融合タンパク質の１個または０個のコピーを提示するように野生型遺伝子ＩＩＩタンパク質の存在下で低レベルで発現される。結合力効果は多価のファージと比較して低下しているので、選別は内在性のリガンド親和性に基づく。LowmanおよびWells, Methods:A Companion to Methods in Enzymology, 3:205-216頁(1991)。
【００２３】
ＰＲＯ７０７６９としても知られる２Ｈ７は、ほとんどのＢ細胞上に発現されるヒトＣＤ２０抗原を結合するヒト化モノクローナル抗体を指す。２Ｈ７は、現在、関節リウマチ治療の臨床第Ｉ相／ＩＩ相試験で評価されているところである。モノクローナル抗体２Ｈ７は、例えばeBioscience, San Diego, CAから市販されている。
ベバチズマブ(Bevacizumab)は、血管新生を阻害するヒト化モノクローナル抗-ＶＥＧＦ抗体を指す。ベバチズマブは、転移性大腸癌又は直腸癌の治療に承認されており、現在のところ、膵臓癌、腎臓癌及び乳癌を含む他の種類の癌の治療の臨床第ＩＩＩ相試験において評価されているところである。ベバチズマブは、Genentech Inc., South San Francisco, CAから市販されている。
【００２４】
ＩＩ．発明の実施の方法
本発明は、標的分子に対して結合親和性を有する分析物分子を同定するために、イムノアッセイ(ＩＡ)と電子化学発光アッセイ(ＥＣＬＡ)法において生成されたデータを分析するクロススクリーニングシステムと方法を提供する。本発明のクロススクリーニングシステムと方法は、イムノアッセイ又はＥＣＬＡそれぞれの検出限界以下である標的分子に対する結合親和性を有する分析物分子を同定する。
本発明のある態様では、標的分子に対する分析物分子の結合親和性はイムノアッセイとＥＣＬＡ法を用いて交差スクリーニングされる。ＩＡ＋／ＥＣＬＡ＋、ＩＡ−／ＥＣＬＡ＋又はＩＡ＋／ＥＣＬＡ−である分析物分子は、標的分子に特異的に結合する分析物分子として同定される。
【００２５】
図１に示すように、標的分子に対して特定の結合親和性を有する分析物分子について濃縮された分析物分子のプールは、本発明のクロススクリーニングシステムと方法の一実施態様を用いて分析物分子の大きなプールから生成されうる。分析物分子の大きなプールは、ＩＡおよびＥＣＬＡによってスクリーニングされる。場合によって、プール中の個々の分析物分子のＩＡシグナルは、それぞれのＥＣＬＡシグナルに対してプロットされる（図１）。領域ＩＩ（ＩＡ＋／ＥＣＬＡ−）及び領域ＩＩＩ（ＩＡ＋／ＥＣＬＡ＋）内の分析物分子は、候補高親和性分子の濃縮プールを形成する（図１）。領域ＩＶ（ＩＡ−／ＥＣＬＡ＋）内の分析物分子は、候補低親和性分析物分子の濃縮プールを形成する（図１）。候補低ないしは高親和性分析物分子の濃縮されたプールからの分析物分子は、例えば表面プラスモン共鳴分析によって選択された分析物分子の特定の結合親和性を決定することによって、低ないしは高親和性分析物分子として確認されてもよい。分析物分子がモノクローナル抗体である場合、抗体は異なる特徴を有するモノクローナル抗体を同定するためにアイソタイプの決定がされうる。
【００２６】
本発明のシステムと方法によってスクリーニングされうる分析物分子は、一般的に小分子、ポリペプチド又はポリペプチド断片であって、例えば、抗体、可溶性レセプター又はそれらの断片であってもよい。抗体はモノクローナル抗体であってもよく、一般的にハイブリドーマ細胞によって生産される。また、ポリペプチド、例えば抗体、可溶性レセプター及びそれらの断片は、ファージに発現されてもよい。したがって、分析物分子のプールはファージライブラリであってもよい。
本発明のシステムと方法において有用な標的分子は、一般的に小分子、ポリペプチド又はポリペプチド断片である。標的分子は、例えば、分析物が抗体である場合には抗原であり、分析物が小分子又はポリペプチドである場合にはレセプター又は抗体であり、分析物が可溶性レセプターである場合にはポリペプチド又は小分子であり、あるいは、分析物がポリペプチド又は小分子である場合にはファージ発現抗体、可溶性レセプター又はそれらの断片でありうる。
【００２７】
好ましくは、標的分子は抗原であって、例えば、ポリペプチド、ポリペプチド断片又は小分子であってもよい。標的分子の例として、限定するものではないが、レニン；ヒト成長ホルモン及びウシ成長ホルモンを含む成長ホルモン；成長ホルモン放出因子；副甲状腺ホルモン；甲状腺刺激ホルモン；リポタンパク質；α-１-アンチトリプシン；インシュリンＡ-鎖；インシュリンＢ-鎖；プロインシュリン；卵胞刺激ホルモン；カルシトニン；黄体形成ホルモン；グルカゴン；第ＶＩＩＩＣ因子、第ＩＸ因子、組織因子、及びフォン・ウィルブランド因子等の凝固因子；プロテインＣ等の抗凝固因子；心房性ナトリウム利尿因子；肺界面活性物質；ウロキナーゼ又はヒト尿又は組織型プラスミノーゲン活性化因子（ｔ-ＰＡ）等のプラスミノーゲン活性化因子；ボンベシン；トロンビン；造血性成長因子；腫瘍壊死因子-α及び-β；エンケファリナーゼ；ＲＡＮＴＥＳ(regulated on activation normally T-cell expressed and secreted)；ヒトマクロファージ炎症タンパク質(ＭＩＰ-１-α)；ヒト血清アルブミン等の血清アルブミン；ミューラー阻害物質；リラキシンＡ-鎖；リラキシンＢ-鎖；プロレラキシン；マウスゴナドトロピン関連ペプチド；β-ラクタマーゼ等の微生物タンパク質；ＤＮアーゼ；ＩｇＥ；ＣＴＬＡ-４のような細胞毒性Ｔリンパ球関連抗原(ＣＴＬＡ)；インヒビン；アクチビン；血管内皮成長因子（ＶＥＧＦ）；ＥＧ-ＶＥＧＦ；Ｂｖ８；ホルモン又は成長因子のレセプター；プロテインＡ又はＤ；リウマチ因子；脳由来神経栄養因子（ＢＤＮＦ）、ニューロトロフィン-３、-４、-５又は-６（ＮＴ-３、ＮＴ-４、ＮＴ-５、又はＮＴ-６）、又は神経成長因子等の神経栄養因子；血小板誘導成長因子（ＰＤＧＦ）；ａＦＧＦ及びｂＦＧＦ等の線維芽細胞成長因子；表皮成長因子（ＥＧＦ）；ＴＧＦ-α及びＴＧＦ-βなどのトランスフォーミング成長因子(ＴＧＦ)；インシュリン様成長因子-Ｉ及び-ＩＩ（ＩＧＦ-Ｉ及びＩＧＦ-ＩＩ）；ｄｅｓ(１-３)-ＩＧＦ-Ｉ（脳ＩＧＦ-Ｉ）、インシュリン様成長因子結合タンパク質；ＣＤ３、ＣＤ４、ＣＤ８、ＣＤ１９及びＣＤ２０等のＣＤタンパク質；エリスロポエチン；骨誘導因子；免疫毒素；骨形成タンパク質(ＢＭＰ)；インターフェロン-α、-β、及び-γ等のインターフェロン；コロニー刺激因子（ＣＳＦｓ）、例えばＭ-ＣＳＦ、ＧＭ-ＣＳＦ、及びＧ-ＣＳＦ；インターロイキン（ＩＬ）、例えば、ＩＬ-１からＩＬ-１０；スーパーオキシドジスムターゼ；Ｔ細胞レセプター；表面膜タンパク質；崩壊促進因子；ウイルス性抗原、例えばＡＩＤＳエンベロープの一部等；輸送タンパク質；ホーミングレセプター；アドレシン；調節タンパク質；インテグリン、例えばＣＤ１１ａ、ＣＤ１１ｂ、ＣＤ１１ｃ、ＣＤ１８、ＩＣＡＭ、ＶＬＡ-４及びＶＣＡＭ；腫瘍関連抗原、例えばＨＥＲ２、ＨＥＲ３又はＨＥＲ４レセプター；及び上に列挙した何れかのポリペプチド又は特異的エピトープの断片；及びこれらの何れかのポリペプチドに結合する抗体が含まれる。
【００２８】
抗体分析物分子をスクリーニングするために好適な標的分子には、ＣＤタンパク質、例えばＣＤ３、ＣＤ４、ＣＤ８、ＣＤ１９、ＣＤ２０及びＣＤ３４；ＥｒｂＢレセプターファミリーのメンバー、例えばＥＧＦレセプター、ＨＥＲ２、ＨＥＲ３又はＨＥＲ４レセプター；細胞接着分子、例えばＬＦＡ-１、Ｍａｃ１、ｐ１５０.９５、ＶＬＡ-４、ＩＣＡＭ-１、ＶＣＡＭ、そのα又はβサブセット（例えば、抗ＣＤ１１ａ、抗ＣＤ１８又は抗ＣＤ１１ｂ抗体）を何れか含むαｖβ３インテグリン；成長因子、例えばＶＥＧＦ；ＩｇＥ；血液型抗原；ｆｌｋ２／ｆｌｔ３レセプター；肥満(ＯＢ)レセプター；ＣＴＬＡ-４；プロテインＣ；及びこれら何れかのポリペプチドに結合する抗体が含まれる。
【００２９】
また、標的分子は、治療的性質又は活性を有するポリペプチド又は抗体であってもよい。例えば、血管新生を誘発するポリペプチド、例えばＶＥＧＦ、ＥＧ-ＶＥＧＦ又はＢｖ７は、組織の傷又は外科的な切開の治癒を促進するために、治療的に用いられてもよい。一実施態様では、標的分子は、抗原、例として、抗治療的モノクローナル抗体である。本発明の標的分子として有用な抗治療的モノクローナル抗体の例として、ベバチズマブ及びＬＵＣＥＮＴＩＳＴＭなどの抗ＶＥＧＦ抗体、ハーセプチン(登録商標)及びＯＭＮＩＴＡＲＧＴＭなどの抗ＨＥＲ２抗体、リツキサン(登録商標)及びＰＲＯ７０７６９などの抗ＣＤ２０抗体、ＸＯＬＡＩＲ(登録商標)などの抗ＩｇＥ抗体、ＲＡＰＴＩＶＡ(登録商標)などの抗ＣＤ１１ａ抗体が含まれるが、これに限定されるものではない。一実施態様では、標的分子はモノクローナル抗体２Ｈ７であり、スクリーニングされる分析物分子は、抗２Ｈ７抗体を産生するクローンのハイブリドーマ上清又は抗２Ｈ７抗体のプールである。一実施態様では、標的分子はモノクローナル抗体ベバチズマブであり、スクリーニングされる分析物分子は、抗ベバチズマブ抗体を産生するクローンのハイブリドーマ上清又は抗ベバチズマブ抗体のプールである。
標的分子が治療的抗体又は治療的ポリペプチドである場合、本発明のクロススクリーニングシステムと方法は、以下の実施例に記載するように、標的分子（治療的抗体）に対して低結合親和性を有する候補抗治療的抗体について濃縮した候補抗治療的抗体のプールを同定するために用いることができる。
【００３０】
Ａ．イムノアッセイ
従来のイムノアッセイは、本発明のクロススクリーニングシステムと方法において用いられてもよい。本発明で有用なイムノアッセイの例には、ラジオイムノアッセイ（ＲＩＡ）、蛍光発光アッセイ（ＦＬＡ）、化学発光アッセイ（ＣＡ）及び酵素結合免疫吸着アッセイ（ＥＬＩＳＡ）を含むが、これに限定されるものではない。例として、Johnstone及びThorpe, Immunochemistry in Practice, Blackwell, 改訂第３版, 1996；Current Protocols in Molecular Biology, Ausbul 等 編集, Wiley & Sons, 2003；Immunoassay Methods and Protocols, Ghindilis 等 編集, Blackwell, 2003；米国公開公報２００３００４４８６５を参照のこと。イムノアッセイは、固相アッセイ又は液相アッセイであってもよい。好ましくは、イムノアッセイは、固相アッセイ、例えばＥＬＩＳＡである。
試料中の分析物分子は、微小粒子を用いて濃縮されうる。微小粒子はポリマーでもよく、セファロースビーズ、ラテックスビーズ及びシェル-コア粒子が含まれるが、これらに限定されるものではない。例として、米国特許第４，３０５，９２５号；同第４，４８０，０４２号；及び同第４，４１９，４５３号を参照のこと。微小粒子は、試料からビーズ又は微小粒子の分離を容易にするために磁気でもよい。例として、米国特許第４，７３１，３３７号；同第４，７７７，１４５号；及び同第４，１１５，５３５号を参照のこと。好ましくは、磁気ビーズは、常磁性ビーズ、例えばＤＹＮＡＢＥＡＤＳ (Dynal Biotech, Brown Deer, WI)である。微小粒子がアッセイに用いられる場合、標的分子はビーズにコンジュゲートされる。標的分子は非共有ないしは共有的相互作用又は物理的な結合によって所望のように微小粒子にコンジュゲートしてもよい。例えば、微小粒子は、ビオチン化された標的分子に対して結合面を賦与するために、ストレプトアビジンでコートされてもよい。接着技術には、米国特許第４，３７６，１１０号及びそこに引用される参考文献に記述されるものが含まれる。
【００３１】
好ましくは、イムノアッセイは、固相ＥＬＩＳＡ又は捕獲ＥＬＩＳＡである。捕獲ＥＬＩＳＡでは、固形相への標的分子の固定化は、アッセイ手順の前の、例えば、米国特許第３６４５８５２号又はRotmans 等, 1983, J. Immunol. Methods, 57:87-98に記載の硝酸及び還元剤などを用いた支持体の事前活性化を行うないしはこの事前活性化を行わない、グルタルアルデヒドないしはカルボジイミド架橋を用いることによる共有結合又は非共有結合又は水不溶性基質あるいは表面への吸着（米国特許第３７２０７６０号）、ないしは、アッセイ手順の後の、例えば免疫沈降法の何れかによって捕捉試薬を不溶化することによって慣習的に行われる。一実施態様では、捕捉試薬は標的抗原又は抗体／抗原複合体に対する抗体又は異なる抗体の混合であり、結合した抗原は試料から抗体を結合するために利用できる。さらなる実施態様では、捕捉試薬は、治療的抗体に複合化される抗アイソタイプ特異的抗体である。例えば、捕捉試薬は、ヒト化治療的ＩｇＧモノクローナル抗体に複合化されるヤギ抗ヒトＩｇＧ  Ｆｃ特異的抗体であってもよい。一実施態様では、ヒト化治療的ＩｇＧモノクローナル抗体は抗2Ｈ7抗体である。一実施態様では、ヒト化治療的ＩｇＧモノクローナル抗体は抗ベバチズマブ抗体である。
【００３２】
固定化のために用いられる固相は、例えば、基本的に不溶性でイムノアッセイに有用な不活性支持体又は担体であってもよく、表面、粒子、多孔性基質などの形態の支持体が含まれる。一般的に用いられる支持体の例としては、ポリエチレン、ポリプロピレン、ポリスチレンから製造される試験管、アッセイプレート、微小粒子、プラスチックビーズ、ポリ塩化ビニル、セファデックス又は小シートなどが含まれる。このような支持体には、９６ウェルマイクロタイタープレート、並びに微粒子素材、例として濾紙、アガロース、架橋デキストラン及び他の多糖が含まれる。あるいは、反応性の水不溶性基質、例えば米国特許第３，９６９，２８７号；同第３，６９１，０１６号；同第４，１９５，１２８号；同第４，２４７，６４２号；同第４，２２９，５３７号；及び、同第４，３３０，４４０号において記述される反応性基質及び臭化シアン活性化炭水化物は、捕捉試薬固定化に好適に用いられる。一実施態様では、固定された捕捉試薬はマイクロタイタープレート上にコートされる。好適な固相は、一度にいくつかの試料を分析するために用いることができるマルチウェルマイクロタイタープレートである。
【００３３】
固相は、所望のように、非共有的又は共有的な相互作用ないしは物理的な結合によって結合されうる捕捉試薬でコートされる。接着技術は、米国特許第４，３７６，１１０号及びこれに引用される文献において記述されるものが含まれる。プレートに対して捕捉試薬の共有的接着が用いられる場合、プレート又は他の固相は捕捉試薬と共に架橋剤とインキュベートしてもよい。固相基質に捕捉試薬を付着するために一般的に用いられる架橋剤には、例えば、１,１-ビス(ジアゾアセチル)-２-フェニルエタン、グルタルアルデヒド、Ｎ-ヒドロキシサクシンイミド エステル類、例えば４-アジドサリチル酸を有するエステル類、ホモ二官能性イミドエステル、これにはジサクシンイミドイルエステル類、例えば３,３'-ジチオビス(サクシンイミドイルプロピオネート)、及びビス-Ｎ-マレイミド-１,８-オクタンなどの二官能性マレイミド類が含まれる。メチル-３-[(ｐ-アジドフェニル)ジチオ]プロピオイミデートなどの誘導体化剤は、光存在下で架橋を形成することができる光活性化中間体を生じる。
【００３４】
ポリスチレン又はポリプロピレンプレートが用いられる場合、プレートのウェルは、好ましくは少なくともおよそ１０時間、より好ましくは少なくとも終夜で、およそ４〜２０℃、より好ましくはおよそ４〜８℃の温度で、およそ８〜１２、より好ましくはおよそ９〜１０、最も好ましくはおよそ９．６のｐＨで、捕捉試薬（一般的に、０．０５Ｍ炭酸ナトリウムなどの緩衝液で希釈される）にてコートされる。より短い被膜形成(コーティング)時間（１〜２時間）が望ましい場合には、プレートを３７℃でコートするか、ニトロセルロースフィルタ底を有するプレート、例えばミリポアＭＵＬＴＩＳＣＲＥＥＮＴＭとする。プレートは積み重ねて、アッセイに先立ってコートし、イムノアッセイがいくつかの試料に対してロボットを用いるなどして自動、半自動又は手動で同時に行うことを可能にしうる。
コートプレートは、一般的に、非特異的に結合して、プレートのウェル上の過剰な結合部位への自由リガンドの望ましくない結合を阻害するための結合部位を飽和する遮断剤にて処理する。好適な遮断剤の例としては、例えば、ゼラチン、ウシ血清アルブミン、卵アルブミン、カゼイン及び脱脂乳が含まれる。一般的にブロッキング処理は、およそ１〜４時間、好ましくはおよそ１．５〜３時間、室温の条件下で行う。
【００３５】
コーティングおよびブロッキングの後、分析される試料は、必要に応じて希釈し、固定化プレートに加える。好適な希釈率は、容量にしておよそ５〜１５％、好ましくはおよそ１０％である。希釈物に用いられうる緩衝液には、例えば、(ａ)０．５％ＢＳＡ、０．０５％ＴＷＥＥＮ２０ＴＭ洗浄剤(Ｐ２０)、５ｍＭ ＥＤＴＡ、０．２５％Ｃｈａｐｓ界面活性剤、０．２％β-γグロブリンおよび０．３５Ｍ ＮａＣｌを含有するリン酸緩衝食塩水（ＰＢＳ）、ｐＨ７．０；(ｂ)０．５％ＢＳＡおよび０．０５％Ｐ２０を含有するＰＢＳ；(ｃ)０．５％ＢＳＡ、０．０５％Ｐ２０、５ｍＭ ＥＤＴＡおよび０．３５Ｍ ＮａＣｌを含有するＰＢＳ、ｐＨ６．３５；(ｄ)０．５％ＢＳＡ、０．０５％Ｐ20、５ｍＭ ＥＤＴＡ、０．２％β-γグロブリンおよび０．３５Ｍ ＮａＣｌを含有するＰＢＳ；(ｅ)０．５％ＢＳＡ、０．０５％Ｐ２０、５ｍＭ ＥＤＴＡ、０．２５％Ｃｈａｐｓおよび０．３５Ｍ ＮａＣｌを含有するＰＢＳ；及び、(ｆ)０．５％Ｐ２０を含有するＰＢＳが含まれる。
十分な感度を得るために、固定された捕捉試薬は適度に希釈した後に試料中の予想される分析物の最大モル濃度を超えるモル濃度にすることが好ましい。分析物に応じて、捕捉試薬は、不正確な結果をもたらす検出用抗体と結合部位について競合しうる。したがって、捕捉試薬の終濃度は、通常、目的の範囲以上にアッセイの感度が最大になるように経験的に決定されうる。
【００３６】
試料および捕捉試薬のインキュベーションの条件はアッセイの感受性を最大にして、解離を最小にするように選択する。インキュベーション時間は主に温度に依存する。好ましくは、インキュベーション時間はおよそ０．５〜３時間であり、より好ましくは１．５〜３時間、３６〜３８℃である。アッセイの感度を維持するために、できるだけおよそ１０時間以上のインキュベーション時間は避ける。試料が体液である場合、体液中のプロテアーゼが分析物を分解するのを防ぐようにプロテアーゼインヒビターを試料に加えてインキュベーション時間を長くしてもよい。
インキュベーション緩衝液のｐＨは、捕捉される分析物に捕捉試薬が特異的に結合するための有意なレベルを維持するように選択する。インキュベーション緩衝液のｐＨは、好ましくはおよそ６〜９．５、より好ましくはおよそ６〜７である。この工程の間に所望のｐＨに達し、維持するために様々な緩衝液を用いてもよく、それらにはボラート、リン酸塩、炭酸塩、トリス-ＨＣＩないしはＴｎｓ-リン酸塩、アセテート、バルビタールなどが含まれる。しかしながら、通常、用いられる特定の緩衝液が重要でなく、それぞれのアッセイで、２以上の緩衝液よりも１つの緩衝液が好ましい。
【００３７】
試料は、システムから捕捉されなかった分析物を取り除くために、洗浄溶液にて固定された捕捉試薬から切り離す。通常、洗浄溶液は緩衝液である。上述したインキュベーション緩衝液は、好適な洗浄溶液である。洗浄溶液のｐＨは、上述のインキュベーション緩衝液の場合と同様に決定される。一実施態様では、洗浄溶液のｐＨは、好ましくはおよそ６〜９、より好ましくはおよそ６〜７である。洗浄は１回ないしは複数回行いうる。しかしながら、低い親和性で標的分子に結合する分子を保持するために洗浄回数を最小限にするとアッセイのバックグラウンドノイズが増加する。システムは３回洗浄するのが好ましい。一般的に、洗浄溶液の温度はおよそ０〜４０℃、より好ましくは４〜３０℃である。自動プレート洗浄機が利用されてもよい。架橋剤又は他の好適な試薬を洗浄溶液に加え、捕捉された分析物を捕捉試薬に共有結合的に接着してもよい。
システムから捕捉されていない分析物分子の除去後、捕捉された分析物分子が抗体などの検出用試薬と、好ましくはおよそ２０〜４０℃、より好ましくはおよそ３６〜３８℃で接触する。分析物がヒト化抗治療的抗体である場合、検出用試薬は異なる種由来の抗アイソタイプ抗体である。抗治療的抗体がヒトＩｇＧである場合には、例えば、検出用試薬はマウス抗ヒトＩｇＧ抗体である。一実施態様では、分析物はマウスモノクローナル抗体であり、検出用試薬はヒツジ抗マウスＩｇＧである。
【００３８】
分析物分子と検出用試薬との接触時間と温度は主に用いられる検出手段に依存している。例えば、ヒツジ抗マウスＩｇＧにコンジュゲートした西洋わさびペルオキシダーゼ（ＨＲＰ）が検出手段として用いられる場合には、検出用試薬は、およそ０．５〜２時間、より好ましくはおよそ１時間、捕捉された分析物とインキュベートするのが好ましい。システムから結合しない検出用試薬を除去するために上記の通りにシステムを洗浄し、ペルオキシダーゼ基質を加えて反応させ、室温でおよそ５分間、又は色が十分に可視化されるまでプレートをインキュベートする。
一実施態様では、結合していない分析物がシステムから洗浄された後に、過剰モルの検出用試薬がシステムに加えられる。検出用試薬はポリクローナル又はモノクローナル抗体であってもよい。一実施態様では、抗体はモノクローナル抗体である。一実施態様では、モノクローナル抗体はマウスである。検出用試薬は、直接又は間接的に検出されうる。検出用試薬が直接検出可能でない抗体である場合、検出抗体は、検出抗体の動物種及びアイソタイプに対する第二の標識された抗体の過剰モルを添加することによって検出される。
【００３９】
少量の分析物が検出されうるように、検出用試薬の親和性は十分に高くなければならない。蛍光定量的ないしは化学発光的な標識成分は、従来の比色標識と比較してイムノアッセイの感度がより高い。選択された検出用試薬の結合親和性は、捕捉試薬の結合親和性を考慮して、検出用試薬が分析物を捕捉試薬から剥ぎ取られないようにすべきである。
標識成分は、検出用試薬への捕捉された分析物の結合を妨げない任意の検出可能な機能を有する。好適な標識成分の例としては、直接検出されうる成分、例えば蛍光色素、化学発光物質及び放射性標識物質、並びに、検出されるために反応するか誘導される酵素などの成分が含まれる。そのような標識物質の例として、放射性同位体３２Ｐ、１４Ｃ、１２５Ｉ、３Ｈおよび１３１Ｉ、希有土類キレート又はフルオレセインのような蛍光体およびその誘導体、ロダイニン(Rhodainine)およびその誘導体、ダンシル、ウンベリフェロン、ルセリフェラーゼ(luceriferase)、例えば、ホタルルシフェラーゼおよび細菌性ルシフェラーゼ（米国特許第４，７３７，４５６号）、ルシフェリン、２,３-ジヒドロフタラジンジオン類(２,３-dihydrophthalazinediones)、西洋わさびペルオキシダーゼ（ＨＲＰ）、アルカリフォスファターゼ、β-ガラクトシダーゼ、グルコアミラーゼ、リソチーム、糖類オキシダーゼ、例えば、グルコースオキシダーゼ、ガラクトースオキシダーゼおよびグルコース-６-リン酸デヒドロゲナーゼ、複素環式オキシダーゼ、例えば、ウリカーゼおよびキサンチンオキシダーゼ、染料前駆体を酸化するために過酸化水素を利用する酵素と結合したもの、例えばＨＰＰ、ラクトペルオキシダーゼ又はミクロペルオキシダーゼ、ビオチン／アビジン、ビオチン／ストレプトアビジン、ＭＵＧを有するビオチン／ストレプトアビジン-β-ガラクトシダーゼ、スピン標識物質、バクテリオファージ標識物質、安定フリーラジカルなどが含まれる。
【００４０】
例えば抗体などの検出用試薬への標識成分のコンジュゲートは、イムノアッセイ技術の標準的操作手順である。例えば、O'Sullivan 等 「Methods for the Preparation of Enzyme-antibody Conjugates for Use in Enzyme Immunoassay」, Methods in Enzymology, 編集 J. J. Langone 及び H. Van Vunakis, Vol. 73 (Academic Press, New York, N.Y., 1981), 147-166頁参照。従来法を利用して、タンパク質又はポリペプチドに対して標識成分を共有的に結合する。例えば、ジアルデヒド、カルボジイミド、ジマレイミド、ビス-イミデート、ビス-ジアゾ化ベンジジンなどのカップリング剤を用いて、上記の蛍光標識、化学発光標識および酵素標識にて抗体を標識することができる。例えば、米国特許第３，９４０，４７５号（蛍光定量法）および同第３，６４５，０９０号（酵素）；Hunter 等, 1962, Nature, 144:945；David 等, 1974, Biochemistry, 13:1014-1021；Pain 等, 1981, J. Immunol Methods, 40:219-230；及び、Nygren J., 1982, Histochem. and Cytochem., 30:407-412を参照のこと。本願明細書中で好適な標識は、およそ５〜１０ｐｇ／ｍｌまで増幅および感度を増やすために、蛍光性ないしは化学発光性である。一実施態様では、標識成分はＨＲＰである。
【００４１】
捕捉試薬に結合した分析物の量は、固定相から結合していない検出用試薬を洗浄して、標識にふさわしい検出法を用いて分析物に結合した検出用試薬の量を計量することによって決定される。一実施態様では、標識成分は酵素である。酵素成分の場合、発色色素の量は、捕捉された分析物の量の直接の測定値である。例えば、ＨＲＰが標識成分である場合、色素は６５０ｎｍの吸光度で光学密度（Ｏ.Ｄ.）を定量化することによって検出される。他の実施態様では、捕捉試薬に結合した分析物の量は、間接的に測定される。非標識の検出用試薬のシグナルは、標識成分にコンジュゲートされる抗検出用試薬抗体を用いた検出のために増幅してもよい。例えば、標的分子を結合する非標識マウス抗体のシグナルは、ＨＲＰで標識したヒツジ抗マウスＩｇＧ抗体を用いて増幅してもよい。標識成分は、標識に適する検出法を用いて検出される。例えば、ＨＲＰは、比色基質とＨＲＰとを反応させ、６５０ｎｍ吸光度で反応した基質の光学密度を測定することによって検出されてもよい。
システムのｐＨ及び／又は温度は、標的分子を結合する分子を同定するために変えてもよい。
【００４２】
Ｂ．ＥＣＬＡ
ＥＣＬＡの従来法は、本発明のクロススクリーニングシステムと方法で用いられてもよい。例として、米国特許第５，５４３，１１２号；同第５，９３５，７７９号；同第６，３１６，６０７号、及びそこに引用された特許を参照のこと。一実施態様では、捕捉試薬および検出用試薬は、分析物分子と混合して、室温でインキュベートされる。一実施態様では、捕捉試薬および検出用試薬は、試料中の予想される分析物分子の最大モル濃度の過剰モルとする。分析物分子に従って、捕捉試薬は、不正確な結果を生じる検出用試薬と結合部位を競合してもよい。したがって、捕捉試薬の終濃度は通常、目的の範囲以上のアッセイの感度を最大にするために、経験的に決定される。一実施態様では、捕捉試薬および検出用試薬は、およそ１：１の比率で試料に加えられる。
捕捉試薬は、抗原、レセプター、抗体又はそれらの断片であってもよい。好ましくは、抗体はモノクローナルである。一実施態様では、捕捉試薬は、抗体又は標的抗原に対する異なる抗体の混合物である。他の実施態様では、捕捉試薬はヤギ抗ヒトＩｇＧ抗体である。検出用試薬は、レセプター、抗体又はそれらの断片であってもよい。一実施態様では、抗体はモノクローナルである。モノクローナル抗体はマウスモノクローナル抗体であってもよい。一実施態様では、検出用試薬は、抗体又は標的抗原に対する異なる抗体の混合物である。他の実施態様では、検出用試薬はマウス抗ヒトＩｇＧ抗体である。
【００４３】
インキュベーション時間は、３６〜３８℃で、およそ０．５〜３時間、より好ましくは１．５〜３時間であってもよい。インキュベーション緩衝液のｐＨは、分析物に対する捕捉試薬および検出用試薬の有意なレベルの特異的結合を維持するように選択される。一実施態様では、インキュベーション緩衝液のｐＨは、およそ６〜９．５、より好ましくはおよそ６〜７である。様々な緩衝液を用いて、この工程の間に所望のｐＨに達して維持してもよく、これらにはボラート、リン酸塩、炭酸塩、トリス-ＨＣＩ又はＴｎｓ-リン酸塩、アセテート、バルビタールなどが含まれる。使用される特定の緩衝液は通常重要でないが、個々のアッセイで、２以上より１つの緩衝液が好ましい。
一実施態様では、ＥＣＬＡ法では結合層を用いて、分析物複合体、例えばビーズ又は微小粒子を固定する。ビーズ又は微小粒子は、０．０５μｍ〜２００μｍ、より好ましくは０．１μｍ〜１００μｍ、より好ましくは０．５μｍ〜１０μｍの直径と、捕捉試薬を結合しうる表面成分を有していてもよい。一実施態様では、ビーズ又は微小粒子の結合表面はストレプトアビジンでコートされ、捕捉試薬はビオチンで標識される。また、微小粒子は、例えばグルタチオン、抗ＩｇＧ抗体又はアグルチニンでコートされてもよい。捕捉試薬は、標準的なアミン化学法を用いて、およそ１：１〜およそ１０：１ビオチン対捕捉試薬、より好ましくはおよそ２：１〜４：１ビオチン対捕捉試薬、より好ましくはおよそ２．５：１ビオチン対捕捉試薬の比率で、ビオチニルアミドカプロン酸-Ｎ-ヒドロキシ-サクシンイミドエステルでビオチン化してもよい。
【００４４】
分析物が抗治療的抗体である場合、分析物、捕捉試薬および検出用試薬は同じ種由来の抗体であってもよい。この場合には、同じタイプの抗体は、捕捉試薬および検出用試薬の両方として、別々に用いられてもよい。例えば、異なるバッチの同じ抗体は、一つは微小粒子がストレプトアビジンでコートされる場合にはビオチンなどの微小粒子を結合しうる成分で標識し、又は他方はＯｒｉＴａｇ(登録商標)などの標識で標識される。一実施態様では、抗体は、ベバチズマブ及びＬＵＣＥＮＴＩＳＴＭなどの抗ＶＥＧＦ抗体、ハーセプチン(登録商標)及びＯＭＮＩＴＡＲＧＴＭなどの抗ＨＥＲ２抗体、リツキサン(登録商標)及びＰＲＯ７０７６９などの抗ＣＤ２０抗体、ＸＯＬＡＩＲ(登録商標)などの抗ＩｇＥ抗体、ＲＡＰＴＩＶＡ(登録商標)などの抗ＣＤ１１ａ抗体が含まれるが、これに限定されるものではなく、治療的モノクローナル抗体である。一実施態様では、捕捉試薬および検出用試薬はおよそ１：１の比率で分析物に添加される。分析物は、ＥＣＬＡによって検出される捕捉試薬と検出用試薬の両方を結合しなければならない。捕捉試薬のみを結合する分析物は、微小粒子と結合しうるが、検出できない。
【００４５】
捕捉試薬と検出用試薬とを分析物分子とインキュベートした後に、捕捉試薬に結合しうる微小粒子を混合物に加え、混合物をインキュベートする。一実施態様では、微小粒子は、ストレプトアビジンなどのビオチンと結合する分子でコートする。インキュベーション時間は、３６〜３８℃で、およそ０．５〜３時間、より好ましくは１．５〜３時間であってもよい。インキュベーション緩衝液のｐＨは、微小粒子に対する捕捉試薬／検出用試薬／分析物分子複合体の有意なレベルの特異的結合を維持するように選択される。インキュベーション緩衝液のｐＨは、およそ６〜９．５、より好ましくはおよそ６〜７である。インキュベーション緩衝液は電解質を含んでいてもよい。電解質は、一つ以上の塩類又は他の種であってもよい。一実施態様では、電解質はナトリウム塩又はカリウム塩である。
微小粒子は、電極および光センサー、例えばＩＧＥＮ  Ｍ３８４分析機(IGEN International Inc., Gaithersburg, MA)を含有する装置で検定される。例えば、電気化学発光を測定するための装置について記述している米国特許第５，５４３，１１２号および同第５，９３５，７７９号を参照のこと。検出用試薬にコンジュゲートされる標識は誘導されて、励起状態に標識を刺激することによって電磁放射を発する。一般的に、既知量の分析物と検出用試薬で生じた較正標準物質によって発せられる発光と試料中の発光とを比較することによって、試料中の分析物の検出および／または定量化がなされる。一実施態様では、光検出器は標識によって発せられる光を測定し、光検出器によって集積された分析データのためのソフトウェアを用いて、分析物分子のＥＣＬＡ反応（電気化学発光単位（ＥＣＬＵ））又は分析物分子の濃度を計測する。
【００４６】
一実施態様では、検出用試薬にコンジュゲートされる標識は、ＥＣＬＡに課される電気化学的条件下で発光する金属キレートである。金属は、例えば、遷移金属（例えばｄ-ブロック遷移金属）又は希土類元素であってもよい。一実施態様では、金属は、ルテニウム、オスミウム、レニウム、イリジウム、ロジウム、プラチナ、インジウム、パラジウム、モリブデン、テクネチウム、銅、クロミウム又はタングステンである。一実施態様では、金属はルテニウム又はオスミウムである。
キレートの金属に結合される配位子（一又は複数）は通常、天然の有機又は複素環式であり、金属キレートが水溶性の環境、又は有機あるいは非水系環境において可溶性となるか否かを決めるに役割がある。配位子は、多座でも、置換されてもよい。多座配位子には、芳香族と脂肪族配位子とが含まれる。好適な芳香族の多座配位子には芳香族の複素環配位子が含まれる。一実施態様では、芳香族の複素環配位子は、例えば、ビピリジル、ビピラジル(bipyrazyl)、ターピリジル(terpyridyl)およびフェナンチロリル(phenanthrolyl)などの窒素含有物質である。好適な置換基には、例えば、アルキル、置換アルキル、アリール、置換アリール、アラルキル、置換アラルキル、カルボン酸塩、カルボキシアルデヒド(carboxaldehyde)、カルボキシアミド、シアノ、アミノ、ヒドロキシ、イミノ、ヒドロキシカルボニル、アミノカルボニル、アミジン、グアニジニウム、ウレイド、硫黄含有群、リン含有群、およびＮ-ヒドロキシサクシンイミドのカルボン酸エステルが含まれる。キレートは一つ以上の単座配位子を有してもよく、それらの多くが当分野で公知である。適切な単座配位子には、例えば、一酸化炭素、シアン化物、イソシアニド、ハロゲン化物、および脂肪族、芳香族、複素環式のホスフィン、アミン、スチルベンおよびアルシンが含まれる。
【００４７】
好適なキレートの例には、ビス[(4,4'-カルボメトキシ)-2,2'-ビピリジン] 2-[3-(4-メチル-2,2'-ビピリジン-4-イル)プロピル]-1,3-ジオキソラン ルテニウム(II)；ビス(2,2'ビピリジン) [4-(ブタン-l-アル)-4'-メチル-2,2'-ビピリジン] ルテニウム(II)；ビス(2,2' ビピリジン) [4-(4'メチル-2,2'-ビピリジン-4'-イル)-酪酸] ルテニウム(II)；トリス(2,2'ビピリジン) ルテニウム(II)；(2,2'-ビピリジン) [ビス-ビス(1,2ビフェニルフォスフィノ)エチレン] 2-[3-(4-メチル-2,2'-ビピリジン-4'-イル)プロピル]-1,3ジオキソラン オスミウム(II)；ビス(2,2'-ビピリジン) [4-(4'-メチル-2,2'-ビピリジン)ブチルアミン] ルテニウム(II)；ビス(2,2'-ビピリジン) [l-ブロモ-4(4'-メチル-2,2'ビピリジン-4-イル)ブタン] ルテニウム(II)；ビス(2,2'-ビピリジン)マレイミドヘキサノイックアシド, 4-メチル-2,2'-ビピリジン-4'-ブチルアミド ルテニウム(II)がある。ＥＣＬＡに好適な付加的な標識成分は、米国特許第５，５９１，５８  １号；同第６，２７１，０４１号；同第６，３１６，６０７号；及び、同第６，４５１，２２５号に記載される。一実施態様では、標識成分は、Ｒｕ(ｂｐｙ)３２＋又はＯＲＩ-ＴＡＧＴＭ  ＮＨＳエステル(IGEN International Inc., Gaithersburg, MA)である。
用いられる標識の量は、検出可能な発光、必要であれば、定量可能な発光、電磁的エネルギーの放出を効率的に生じる量である。一実施態様では、検出用試薬は、標準的なアミン化学法を用いて、およそ１：１〜およそ１０：１標識対検出用試薬、より好ましくはおよそ３：１〜７：１標識対検出用試薬、より好ましくはおよそ５：１標識対検出用試薬の比率で、標識とコンジュゲートされる。
システムのｐＨ及び／又は温度を変えて、標的分子に結合する分子を検出することができる。
【００４８】
Ｃ．検出限界
ＩＡ及びＥＣＬＡの検出限界とは、それぞれのアッセイのバックグラウンド濃度以上で検出されうる分析物の最小濃度である。ＩＡ及び／又はＥＣＬＡの検出限界は従来の方法によって測定することができる。この検出限界以下では、検出用試薬の非特異的結合と分析物の特異的結合とを分類することが難しい。ＩＡ−／ＥＣＬＡ−である分子は標的分子に対する特異的結合親和性を有さないとみなされる。
検出限界は、本システム中の検出用試薬の非特異的結合の量によって決定されうる。ＩＡ又はＥＣＬＡのバックグラウンド濃度は、分析物の非存在下でのそれぞれのアッセイ条件下にて測定されうる。例えば、ＩＡ及びＥＣＬＡを用いて、同種の混合物における低親和性抗体などの分析物を検出することができる。それぞれのアッセイのバックグラウンド濃度は、分析物を含有しないインキュベーション緩衝液でシステムをインキュベートした後に検出用抗体のシグナルを定量化することによって測定することができる。また、ＩＡ及びＥＣＬＡを用いて、血清などの同種混合物中の低親和性結合抗治療抗体などの分析物についてスクリーニングすることができる。それぞれのアッセイのバックグラウンド濃度は、処置されていない一以上の動物の血清でシステムをインキュベートした後に検出用試薬のシグナルを定量化することによって測定することができる。
【００４９】
また、バックグラウンド濃度は、標的分子に特異的に結合しない対照分析物を用いて測定することができる。一実施態様では、検出限界は、標的抗原に特異的に結合しない対象抗体を用いて測定することができる。例えば、ＩＡ及びＥＣＬＡを用いて、ハイブリドーマクローンの上清を低親和性抗体についてスクリーニングすることができる。それぞれのアッセイのバックグラウンド濃度は、標的抗原に特異的に結合しない対照抗体を含有する上清試料でシステムをインキュベートした後に検出用抗体のシグナルを定量化することによって測定することができる。一実施態様では、対照抗体は、対象とするハイブリドーマクローンによって産生される抗体と同じアイソタイプである。
システムのバックグラウンド濃度を低くすると、アッセイの感度が増して検出限界が低くなる。ＩＡ又はＥＣＬＡのバックグラウンド濃度を低くするには、これらに限定するものではないが、洗浄時間の延長、付加的洗浄の追加、異なる洗浄用緩衝液の選択、異なる素材の固相の選択、異なるブロッキング緩衝液の選択、異なる検出用試薬の選択、低い自動発光濃度を有するビーズ又は微小粒子の選択、インキュベーション時間の短縮、一以上の緩衝液のｐＨの変更、インキュベーション温度の変更、又はこれらの組合せを含む多くの方法がある。ＥＣＬＡ特異性に関して、磁気性電極と常磁性ビーズを用いるとバックグラウンドが減少しうる。
【００５０】
ＩＡ及び／又はＥＣＬＡの検出限界は、望ましくない分子が除去されることを確認するか、所望の特徴を有する分析物分子が除去されない検出限界であることを確認するために適正化が必要であろう。例えば、無作為に選択されるＩＡ−／ＥＣＬＡ−分析物分子の結合親和性を測定することができる。およそ１０−２の標的分子に対する結合親和性を有すると思われる無作為に選択されたＩＡ−／ＥＣＬＡ−分析物分子は、検出限界の設定が高すぎることと、及びＩＡ及び／又はＥＣＬＡ検出限界を低くすると、標的分子に対して所望の低結合親和性を有する付加的な分析物分子が同定されうることを示唆する。
【００５１】
Ｄ．結合親和性の測定
候補低又は高親和性分析物分子は、標的分子の解離速度定数（Ｋｄｉｓｓｏｃ）又は平衡解離定数（ＫＤ）に基づいて、低い又は高い親和性分析物分子であるとみなされる。本発明のクロススクリーニングシステムと方法によって生成された候補分子の濃縮されたプールから選択される候補分子の結合親和性は、従来の平衡又は動態学的方法によって確認されうる。例として、競合的ＥＬＩＳＡ、平衡透析法、ＲＩＡ、表面プラスモン共鳴、例えばＢＩＡＣＯＲＥ(登録商標) (Biacore Inc., Piscataway, N.J.)、親和性クロマトグラフィおよびＥＣＬＡがあるが、これに限定するものではない。例えば、Current Protocols in Molecular Biology, Ausbul 等 編集, Wiley & Sons, 2003；Current Protocols in Immunology, Bierer 等 編集, Wiley & Sons, 2003；及び、米国特許第５，５４３，１１２号；同第５，９３５，７７９号；及び、同第６，１４３，５７４号を参照のこと。一実施態様では、結合親和性は、ＢＩＡＣＯＲＥ(登録商標)分析器で測定される（下記の実施例３を参照）。
高いＫｄｉｓｓｏｃは低結合親和性を表す。標的分子に対して１０−６より大きなＫｄｉｓｏｃ又は１０−８Ｍと同じかより大きなＫＤを有する分析物分子は、標的分子に対する低結合親和性を有する分子として同定される。一実施態様では、標的分子に対する候補低親和性分析物分子のＫｄｉｓｓｏｃは、１０−５以上、より好ましくは１０−４以上、より好ましくは１０−３以上、及びより好ましくは１０−２以上である。一実施態様では、標的分子に対する候補低親和性分析物分子のＫＤはおよそ１０−６Ｍ、およそ１０−７Ｍないしはおよそ１０−８Ｍである。
【００５２】
Ｅ．アイソタイプ
本発明のクロススクリーニングシステムと方法によって同定される低親和性結合抗体（分析物分子）の重鎖及び軽鎖のアイソタイプは、抗アイソタイプ特異的抗体を用いるＥＬＩＳＡなどの従来法によって測定することができる。例えば、Current Protocols in Immunology, Bierer 等 編集, Wiley &z Sons, 2003を参照のこと。一実施態様では、抗体はアルカリフォスファターゼ又はＨＲＰ-コンジュゲート抗マウスないしは抗ヒト抗体である。一実施態様では、抗重鎖アイソタイプ特異的抗体抗アイソタイプ特異的抗体のパネルを用いる。抗体のパネルには、抗重鎖抗アイソタイプ特異的ＩｇＧ、ＩｇＥ、ＩｇＡ及びＩｇＭ抗体が含まれうる。一実施態様では、抗体のパネルには、少なくとも抗ＩｇＧ１、ＩｇＧ２ａ、ＩｇＧ２ｂ又はＩｇＧ３アイソタイプ特異的抗体が含まれる。
【００５３】
Ｆ．使用
本発明のクロススクリーニングシステムと方法には多くの応用がある。本発明の方法は、標的分子に結合する分析物分子を同定するために特に有用である。例えば、本方法は特異的レセプターに結合するポリペプチド又は小分子、あるいは特異的抗原に結合する抗体を同定するために有用である。一実施態様では、レセプター、抗体又はそれらの断片はファージ上に発現される。他の実施態様では、抗原は治療的活性を有するポリペプチド又はモノクローナル抗体である。例えば、モノクローナル抗体は、ベバチズマブ及びＬＵＣＥＮＴＩＳＴＭなどの抗ＶＥＧＦ抗体、ハーセプチン(登録商標)及びＯＭＮＩＴＡＲＧＴＭなどの抗ＨＥＲ２抗体、リツキサン(登録商標)及びＰＲＯ７０７６９などの抗ＣＤ２０抗体、ＸＯＬＡＩＲ(登録商標)などの抗ＩｇＥ抗体、及びＲＡＰＴＩＶＡ(登録商標)などの抗ＣＤ１１ａ抗体でもよい。一実施態様では、標的抗原がモノクローナル抗体２Ｈ７である。他の実施態様では、標的抗原がモノクローナル抗体ベバチズマブである。本システムのｐＨ及び／又は温度を変えて、標的分子に結合する分子を同定することができる。
【００５４】
本発明のクロススクリーニングシステムと方法は、試料中の少量の分析物分子を検出するために特に有用である。好ましくは、分析物分子は抗体である。例えば、本発明のクロススクリーニングシステムと方法を用いて、標的分子に高い親和性を有するが上清中の抗体濃度が低い抗体を産生するハイブリドーマを同定することができる。上清中の抗体の濃度はＩＡ又はＥＣＬＡアッセイそれぞれの検出限界より低いが、本発明のクロススクリーニングシステムと方法の検出限界よりは低くない。
本発明の方法を用いて、所望の性質について分析物分子のプールを濃縮することができる。一実施態様では、分析物分子は抗体である。一実施態様では、所望の性質は標的分子に対する結合親和性（ＩＡ−／ＥＣＬＡ＋、ＩＡ＋／ＥＣＬＡ＋、及びＩＡ＋／ＥＣＬＡ＋）である。他の実施態様では、所望の性質は標的分子に対する高結合親和性（ＩＡ＋／ＥＣＬＡ＋又はＩＡ＋／ＥＣＬＡ−）である。例えば、小分子ライブラリは高い親和性で標的レセプターに結合する候補ライブラリメンバーについてスクリーニングすることができる。同様に、レセプター、抗体又はそれらの断片のライブラリは高い親和性で標的ポリペプチドに結合する候補ライブラリメンバーについてスクリーニングすることができる。他の実施態様では、所望の性質は標的分子に対する低結合親和性（ＩＡ−／ＥＣＬＡ＋）、例として抗原などである。候補分子は、標的抗原に対する分析物分子の特異的結合親和性を測定することによってそれぞれ高親和性ないしは低親和性分析物分子とみなされうる。
【００５５】
低親和性抗体は、例えば、生物学的治療の規制当局の許可が必要な抗治療的抗体アッセイにおいて必要とされる。免疫反応はポリクローナルである；つまり、生物学的治療に対して生成された抗治療的抗体は治療の異なる領域を標的とするか又は、異なる結合親和性及びアイソタイプを示しうる。臨床試験において、例えば、臨床試験を行っている生物学的治療に対する免疫反応のポリクローナルな性質を擬態する抗治療的抗体のパネルを用いて、抗治療的抗体アッセイの性能を評価することができうる。本発明のクロススクリーニングシステムと方法によって同定された低親和性抗体を用いて、そのような抗体のパネルを構築することができる。一実施態様では、本発明のクロススクリーニングシステムと方法を用いて、低い親和性で標的抗原に結合する抗体についてハイブリドーマクローンをスクリーニングすることができうる。一実施態様では、標的抗原は治療的モノクローナル抗体である。
臨床試験では、例えば、該試験の初めの段階で生物学的治療に対する抗体が検出されることは、治療の安全性及び有効性を評価する上で重要である。一実施態様では、本発明の方法を用いて、抗治療的抗体に対するポリペプチドないしはモノクローナルの抗体などの生物学的治療を受けている又は受ける間近の患者からの血清をスクリーニングすることができる。
【００５６】
また、低親和性抗体は薬剤開発法においても有用である。例えば、治療的標的に対して高い結合親和性を有する抗体を生成することは難しいといえる。低親和性抗体は親和性成熟された抗体を開発するための開始点となりうる。一実施態様では、抗体は、治療的標的に対して低い結合親和性を示す分析物分子に本発明の方法を用いてクロススクリーニングする。選択された低親和性抗体は親和性成熟されて治療的抗体を産生する。一実施態様では、抗体はファージ上に発現される。他の実施態様では、抗体はファージライブラリのメンバーである。
本発明を一般的に記載したので、以下の実施例を参照することによってより容易に同じことが理解されるであろう。以下の実施例は例示的に示すものであって、限定を意図したものではない。
本明細書中に引用したすべての文献（特許及び特許出願を含む）は出典明記によりそれらの全体がここに組み込まれる。
【実施例】
【００５７】
実施例１
低親和性抗２Ｈ７抗体についてのハイブリドーマのスクリーニング
ＥＬＩＳＡ及びＥＣＬＡを用いたクロススクリーニング法を用いて、ハイブリドーマ上清を低親和性抗２Ｈ７抗体の産生についてスクリーニングした。ハイブリドーマスクリーニング方策の一実施態様のワークフロー線図を図１に示す。
【００５８】
ハイブリドーマ産生
ＢＡＬＢ／ｃマウスを、一リン酸化脂質Ａ／トレハロースジコリノミコレートアジュバント(monophosphoryl lipid A/trehalose dicorynomycolate adjuvant) (Corixa)に再懸濁した０．５μｇの２Ｈ７にて免疫化し、１０回の追加免疫を行った。懸濁液は、３〜４日間隔で各々の後足蹠に注入した。最終の追加免疫から３日後に、poptilealリンパ節を骨髄腫細胞株、Ｐ3Ｘ63Ａｇ.Ｕ.1(ATCC, Manassas, VA)の細胞と融合した。融合細胞は、ヒポキサン-アミノプテリン-チミジン(ＨＡＴ)培養液選別によって選択した。
【００５９】
ＥＣＬＡスクリーニング
ハイブリドーマ培養物からの上清を、ＥＬＩＳＡ反応に対するＥＣＬＡ反応をプロットすることによって、低親和性抗２Ｈ７抗体についてスクリーニングした。ＥＣＬＡは、Baker 等, 2002, Trends in Biotechnol., 20:149-156の記載のように行った。
簡潔には、異なるバッチの２Ｈ７抗体は、ビオチン又はＯｒｉ-ｔａｇ(Igen International Inc, Gaithersburg, MD)にて標識した。２Ｈ７は、２．５：１ビオチン対２Ｈ７の標的比率で標準のアミンベースの化学法を用いてビオチン化アミノカプロン酸-Ｎ-ヒドロキシ-スクシニミドエステル(Organics Inc.)にてビオチン化した。２Ｈ７を、製造者の指示に従って、５：１ＯＲＩ-ＴＡＧ対２Ｈ７の標的比率でＮＨＳエステルにて標識した。マスター作用溶液をビオチン化２Ｈ７とＯｒｉ-タグ標識２Ｈ７を１：１の比で混合することによって調製した。マスター作用溶液中の各々の標識した抗原の終濃度は、１μｇ／ｍｌであった。
【００６０】
５０μｌのマスター作用溶液と５０μｌの個々のハイブリドーマクローンからの上清を９６ウェル丸底ポリプロピレンプレートに加えることによってモノクローナル抗体のパネルを作製した。プレートの各々のウェルは、単一のハイブリドーマクローンの上清を含有する。ゆっくりと撹拌しながら２時間、室温、暗所にてプレートをインキュベートし、１０μｇのストレプトアビジンコート磁気ビーズを各ウェルに１００μｌ用量で加えた。プレートは、さらに１時間、室温、暗所にて、ゆっくりと撹拌しながらインキュベートした。インキュベーション後、以下の手順パラメータに従ってＩＧＥＮ  Ｍ３８４分析機にてプレートを読んだ：球型は、２．８０ミクロン、吸引容量２００μｌ、ＰＯＰ ０ｍｖ、gain  １、洗浄容量７００μｌ、クリーンサイクル２００ｍｌ／秒の洗浄速度を設定した。データを集積して、電気化学発光単位（ＥＣＬＵ）で示した。
ＨＡＴ培地は対照に用いた。ＥＣＬＡによって検出されるように、分析物分子は、捕捉試薬と検出用試薬の両方を結合しなければならない。捕捉試薬と検出用試薬の両方と複合体を形成した上清培養物からの抗２Ｈ７抗体（分析物分子）をアッセイで検出した（ＥＣＬＡ＋）。捕捉試薬だけ又は検出用試薬だけを結合した上清培養物からの抗２Ｈ７抗体は検出されなかった。
【００６１】
ＥＬＩＳＡスクリーニング
ＥＬＩＳＡは、Baker 等, 2002, Trends in Biotechnol., 20:149-156の記載のように一般的に行った。簡潔に述べると、３８４ウェルグライナー平底プレートを、コーティング緩衝液（５０μＭ炭酸塩緩衝液、ｐＨ９．６）中２μｇ／ｍｌの濃度のヤギ抗ヒトＩｇＧ  Ｆｃ特異的(Cappel #55071) ５０μｌにてコートした。プレートを密閉し、終夜、４℃に置いた。コーティング溶液を取り除いた後、ＰＢＳ中２％ウシ血清アルブミンを含有するブロッキング溶液１００μｌを、各々のウェルに添加した。室温にて１時間、プレートを撹拌しながらインキュベートし、次いでＰＢＳ／０．０５％Ｔｗｅｅｎ-２０にて３回洗浄した。
洗浄工程の後、５０μｌの抗原溶液（０．５％ウシ血清アルブミンを含有するＰＢＳ中に０．４μｇ／ｍｌ ２Ｈ７）を各ウェルに加え、室温にて１時間、プレートを撹拌しながらインキュベートした。ＰＢＳ／０．０５％Ｔｗｅｅｎ-２０にてプレートを３回洗浄した。個々のハイブリドーマクローンからの上清３５μｌを加えて、プレートの各ウェルが単一ハイブリドーマクローンからの上清を含有するようにした。室温にて１時間、プレートをインキュベートし、ＰＢＳ／０．０５％Ｔｗｅｅｎ-２０にて３回洗浄した。
【００６２】
洗浄工程の後、０．５％ウシ血清アルブミンおよび０．１％Ｔｗｅｅｎ-２０を含有するＰＢＳ中、ヒツジ抗マウスＩｇＧ ＨＲＰ（ヒトＩｇＧに対する交叉反応がない、Cappel #55569）の１：１０００希釈物の５０μｌを、各々のウェルに加えた。プレートを、室温にて１時間、撹拌しながらインキュベートし、ＰＢＳ／０．０５％Ｔｗｅｅｎ-２０にて３回洗浄し、水で洗い流し、振って乾燥させた。４０μｌのＴＭＢ  ミクロウェルペルオキシダーゼ（テトラメチルベンジジン）基質(BioFX #TMBT-0100-01)をプレートの各々のウェルに加えてプレートを反応させ、室温で５分ないしは色が十分に可視化されるまでプレートをインキュベートした。４０μｌのストップ溶液(BioFX #BSTP-0100-01)を各ウェルに加えることによって反応を止め、Ｓｕｎｒｉｓｅプレートリーダー(Tecan US, Research Triangle Park, NC)にて６５０ｎｍでプレートを読み取った。
【００６３】
低親和性抗体の同定
低親和性抗２Ｈ７抗体は、各々それぞれのハイブリドーマ上清についてＥＬＩＳＡ反応（６５０ｎｍのＯ.Ｄ.）に対するＥＣＬＡ反応（ＥＣＬＵ）をプロットすることによって同定した（図２）。ＥＬＩＳＡの検出限界をＯ.Ｄ.０．５に設定した。ＨＡＴ培地は、２５０ＥＣＬＵの検出限界を確認するために、ＥＣＬＡの対照として用いた。
ＥＣＬＡおよびＥＬＩＳＡの検出限界を用いると、ＥＣＬＡ：ＥＬＩＳＡプロット上の４分割した１つに定まった（図２）。検出限界を表す系統は四分割の境界を形成する。領域I（ＥＣＬＡ−／ＥＬＩＳＡ−）の抗体は、２Ｈ７を結合しない抗体を表すか、又はＥＬＩＳＡないしはＥＣＬＡの何れかによって検出されない結合を有した。領域III（ＥＣＬＡ＋／ＥＬＩＳＡ＋）の抗体は、候補高親和性抗２Ｈ７の抗体を表す。領域II（ＥＣＬＡ−／ＥＬＩＳＡ＋）の抗体は、２Ｈ７のビオチン化および／またはＯｒｉ-Ｔａｇでの２Ｈ７の標識によって変更されるかまたはマスキングされるエピトープを結合すると思われる候補高親和性抗２Ｈ７抗体を表す。領域IV（ＥＣＬＡ＋／ＥＬＩＳＡ−）の抗体は、候補低親和性抗２Ｈ７の抗体を表す。領域IVの抗体は、抗２Ｈ７の抗体群がＥＬＩＳＡによって検出されないことを表す。これらの抗体は、ＥＬＩＳＡの複数の洗浄工程の間にプレートから洗い流されるかまたは０．５未満のＥＬＩＳＡ反応を含有しうる。領域IVの抗体は低親和性抗体を生産すると推定される。領域IVが低親和性抗体で濃縮される一方でまた、上清中に低濃度に存在する高親和性抗体を含有しうる。
【００６４】
実施例２
低親和性抗２Ｈ７抗体のＢｉａｃｏｒｅ分析
実施例１の四分割I、II、IIIまたはIV中の抗体を産生する多くのハイブリドーマクローンを、特異的結合親和性の確認及び更なる特徴について選別した。選択されたハイブリドーマクローンによって産生される抗体の解離速度定数（Ｋｄｉｓｓｏｃ）を、Ｂｉａｃｏｒｅ分析で測定した。
Ｂｉａｃｏｒｅ３０００(USA Biacore, Inc., Piscataway, NJ)にて分析を行った。モノクローナル抗体２Ｈ７を、フローセルのＣＭ５センサーチップに固定した。簡単に言えば、等量の１１．５ｍｇ／ｍｌのＮ-ヒドロキシスクシンイミド（ＮＨＳ）と７．５ｍｇ／ｍｌの１-エチル-３-(３-ジメチルアミノプロピル)カルボジイミド塩酸塩（ＥＤＣ）を含有する３５μｌの溶液を注入することによってフローセルを活性化した。フローセルの活性化後、酢酸ナトリウム（ｐＨ５．０）中の２Ｈ７を手動で注入して、チップ上でおよそ５００ＲＵの反応に到達させた。３５μｌの１Ｍエタノールアミンハイドロクロライド-ＮａＯＨ（ｐＨ８．０）を、５μｌ／分の流速で、注入し、フローセル上の何れかの非反応活性化部位をブロックした。エタノールアミンブロッキングの後の固定化２Ｈ７の終濃度は、５５６ＲＵであった。異なるフローセルをインライン対照細胞として用いた。比較フローセルは上記の通りに活性化し、５μｌ／分の流速の１Ｍエタノールアミンハイドロクロライド-ＮａＯＨ（ｐＨ８．０） ３５μｌの注入にて速やかにブロックした。
【００６５】
センサチップが調製された後、各々のハイブリドーマクローンからの上清１２０μｌを３０μｌ／分の流速で、フローセルの上に注入した。解離は６分間得られた。次いで、１０ｍＭグリシン、ｐＨ２．０および１０ｍＭグリシン、ｐＨ２．５を５０μｌずつ連続的に注入してチップを再生した。
製造業者によって提供されるBIAevaluation 3.2ソフトウェアを用いる個々のＫａｓｓｏｃ／Ｋｄｉｓｓｏｃフィッティングモデルを用いて解離速度定数を得た。フィッティングモデルは１：１結合とみなした。
各々の選択された抗体について算出されるＫｄｉｓｓｏｃを、実施例１に記載のＥＣＬＡ反応およびＥＬＩＳＡ反応に従ってプロットした（図２）。領域II（ＥＣＬＡ−／ＥＬＩＳＡ＋）の抗体は、１０−３〜１０−５ｌ／秒の範囲のＫｄｉｓｓｏｃを有することが明らかとなった（表１および図３）。領域III（ＥＣＬＡ＋／ＥＬＩＳＡ＋）の抗体は、１０−４以下のＫｄｉｓｓｏｃを有することが明らかとなった（表１および図３）。領域IV（ＥＣＬＡ＋／ＥＬＩＳＡ−）の抗体は、１０−２〜１０−５の範囲のＫｄｉｓｓｏｃを有することが明らかとなった（表１および図３）。１０−２のＫｄｉｓｓｏｃを有する抗体は、領域IVにのみみられた。領域I（ＥＣＬＡ−／ＥＬＩＳＡ−）の抗体はおそらく２Ｈ７に特異的に結合しない。
【００６６】
表１
2007538258.tif 000002
ａ：Ｂｉａｃｏｒｅ分析によって測定された
＊：濃度が低い及び／又はアッセイ限界を超過しているために測定不能
＊＊：２つの異なる重鎖アイソタイプ、ＩｇＧ１及びＩｇＧ２ｂを含有する試料
【００６７】
およそ１０−５より大きいＫｄｉｓｓｏｃを示す抗体を低親和性抗体として同定した。表１及び図３に示すように、同定された低親和性抗体の１つを除くすべてはＥＣＬＡ＋／ＥＬＩＳＡ−又はＥＣＬＡ−／ＥＬＩＳＡ＋であった。領域I(ＥＣＬＡ−／ＥＬＩＳＡ−)の一抗体は１０−３のＫｄｉｓｓｏｃを有することが明らかであり、これによってＥＣＬＡの検出限界が非常に高く設定されていることが示唆された。ＥＣＬＡ検出限界を低くすることによって付加的な低親和性抗２Ｈ７抗体が同定されうる。領域IVの一抗体は１０−５のＫｄｉｓｓｏｃを有することが明らかであり、これによってこの抗体を産生するハイブリドーマ上清中の抗２Ｈ７抗体の濃度が低いことが示唆された。
【００６８】
実施例３
低親和性抗２Ｈ７抗体のアイソタイプの決定
アイソタイプは、実施例２の更なる特徴付けのために選択されるハイブリドーマクローンによって産生される抗体について決定した。ＥＬＩＳＡベースの抗体アイソタイプ分析アッセイを行った。簡潔には、ポリプロピレン９６ウェルマイクロタイタープレートを５０μｌのアイソタイプ特異的ヤギ抗マウスＩｇ(Southern Biotech, Pittsburgh, PA)にてコートし、４℃で終夜、インキュベートした。
プレートを、洗浄緩衝液（０．０５％Ｔｗｅｅｎ-２０含有のＰＢＳ）にて洗浄し、２％ＢＳＡのＰＢＳ  ２００μｌにて、室温で１時間ブロックした。プレートを洗浄緩衝液にて３回洗浄し、１００μｌのハイブリドーマ培養物上清をウェルに加えた。プレートを室温で３０分間インキュベートし、３回洗浄した。５０μｌのＨＲＰヤギ抗マウスＩｇＧ  Ｆｃ特異的(ＩＣＮ)を各ウェルに添加し、プレートを室温にて３０分間インキュベートした。実施例１に記載のように、プレートをＨＲＰ基質にて反応させた。実施例１に記載のように、吸光度を測定した。
実施例１に記載のように、選択されたハイブリドーマクローンによって産生される抗体の重鎖アイソタイプを、ＥＣＬＡ反応およびＥＬＩＳＡ反応に従ってプロットした（図４）。領域IIの２つの抗体を除いて、試験されるすべての抗体はκ軽鎖を示した（表１）。これらの２つの抗体はλ軽鎖を示し、図４の囲みで示す。領域II（ＥＣＬＡ＋／ＥＬＩＳＡ＋）の抗体は、ＩｇＧ１又はＩｇＧ２ｂの重鎖アイソタイプを有することが明らかとなった（表１および図４）。領域III（ＥＣＬＡ＋／ＥＬＩＳＡ＋）の抗体は、ＩｇＧ１又はＩｇＧ２ｂの重鎖アイソタイプを有することが明らかとなった（表１および図４）。領域IV（ＥＣＬＡ＋／ＥＬＩＳＡ−）の抗体は、ＩｇＧ、ＩｇＧ２ａ、ＩｇＧ２ｂ又はＩｇＧ３の重鎖アイソタイプを有することが明らかとなった（表１および図４）。
【００６９】
実施例４
低親和性抗ベバチズマブ抗体についてのハイブリドーマスクリーニング
ハイブリドーマ上清を、実施例１に記載のＥＬＩＳＡ／ＥＣＬＡクロススクリーニング法を用いて、低親和性抗ベバチズマブ抗体(Genentech Inc., South San Francisco, CA)の産生についてスクリーニングした。
ＢＡＬＢ／ｃマウスを、実施例１に記載のようにベバチズマブで免疫化し、追加免疫を行った。最終の追加免疫から３日後に、poptilealリンパ節を骨髄腫細胞株、Ｐ３Ｘ６３Ａｇ.Ｕ.１(ATCC, Manassas, VA)の細胞と融合した。融合細胞は、ヒポキサン-アミノプテリン-チミジン(ＨＡＴ)培養液選別によって選択した。
ハイブリドーマ培養物からの上清を、ＥＬＩＳＡ反応に対するＥＣＬＡ反応をプロットすることによって、低親和性抗ベバチズマブ抗体についてスクリーニングした。ＥＣＬＡスクリーニングとＥＬＩＳＡスクリーニングは実施例１に記載のように行った。濃縮された候補低親和性抗ベバチズマブ抗体のプールは、実施例１に記載のように、ＥＬＩＳＡ反応に対するＥＣＬＡ反応をプロットすることによって生成した。ＥＬＩＳＡの検出限界をＯ.Ｄ.０．５に設定した。ＥＣＬＡの検出限界を３００ＥＣＬＡに設定した。実施例１に記載のように、検出限界を描く線は４分割：領域I（ＥＬＩＳＡ−／ＥＣＬＡ−）、領域II（ＥＬＩＳＡ＋／ＥＣＬＡ−）、領域III（ＥＬＩＳＡ＋／ＥＣＬＡ＋）および領域IV（ＥＬＩＳＡ−／ＥＣＬＡ＋）の境界を成す。例として図１を参照のこと。領域IV（ＥＬＩＳＡ−／ＥＣＬＡ＋）の抗体は、ＥＬＩＳＡによって検出されない候補低親和性抗ベバチズマブモノクローナル抗体の一群を表す。２つのハイブリドーマクローン（４Ｂ９及び８Ｆ６）由来の抗体はＥＬＩＳＡ−／ＥＣＬＡ＋と同定された（表２）。これらの抗体は候補低親和性抗ベバチズマブモノクローナル抗体である。
【００７０】
表２
2007538258.tif 000003
【００７１】
領域ＩＶの候補低親和性抗体の特異的結合親和性を測定した。実施例２に記載のように、抗体の解離速度定数（Ｋｄｉｓｓｏｃ）をＢｉａｃｏｒｅ分析で測定した。早い解離率（Ｋｄｉｓｓｏｃ）は一般的に低結合能と相関する。およそ１０−５より大きいＫｄｉｓｓｏｃを示す抗体は低親和性抗ベバチズマブ抗体と同定された。クローン４Ｂ９および８Ｆ６は、低親和性抗ベバチズマブ抗体を産生することが明らかとなった（表３）。
領域IV（ＥＬＩＳＡ−／ＥＣＬＡ＋）が低親和性抗体において濃縮される一方、また、上清中に低濃度で存在する高親和性抗体を含有しうる。低親和性抗体を生産するハイブリドーマクローンの同定を確認するために、ハイブリドーマクローンからの上清中のモノクローナル抗体の濃度をＢｉａｃｏｒｅ分析で測定した。精製されたカニクイザル抗ベバチズマブポリクローナル抗体の既知濃度は、実施例２に記載のように、Ｂｉａｃｏｒｅにて分析した。ポリクローナル抗体濃度に対するＢｉａｃｏｒｅでのベバチズマブに対するポリクローナル抗体の結合をプロットし、曲線の傾斜を算出することによって標準曲線を生成した（図５）。
個々のハイブリドーマクローンからの上清中のモノクローナル抗体の濃度は標準曲線を用いて算出し、この濃度を用いて解離速度定数（Ｋｄｉｓｓｏｃ）、会合速度定数（Ｋａｓｓｏｃ）および平衡解離定数（ＫＤ）を算出した（表３）。製造者によって提供されるBIAevaluation 3.2ソフトウェア用いて平衡定数および速度定数を求めた。BIAevaluation 3.2ソフトウェアによるＫａｓｓｏｃ／Ｋｄｉｓｓｏｃフィッティングモデルを用いて解離速度定数を得た。フィッティングモデルは１:１結合とみなした。およそ１０−８Ｍと同じかそれより大きいＫＤを示す抗体を低親和性抗ベバチズマブ抗体として確認した。クローン４Ｂ９および８Ｆ６は、低親和性抗ベバチズマブ抗体を産生することが確認された（表３）。
【００７２】
表３
2007538258.tif 000004
＊濃度は、Ｂｉａｃｏｒｅを用いて精製したカニクイザル抗ベバチズマブポリクローナル抗体にて生成した標準曲線を用いて推定した（図５参照）。
【図面の簡単な説明】
【００７３】
【図１】特定の抗原に対する低親和性抗体を同定するために適用した本発明のクロススクリーニングシステムと方法の実施態様を示すワークフロー線図。
【図２】ハイブリドーマから産生される抗２Ｈ７の抗体のプールをクロススクリーニングした結果のプロット線。ＥＣＬＡ反応（ＥＣＬＵ）は、ＥＬＩＳＡ反応（６５０ｎｍのＯ.Ｄ.）に対してプロットされる。領域Iの抗体（ＥＣＬＡ−／ＥＬＩＳＡ−）は、どちらも特に２Ｈ７を特異的に結合しないか又は、結合がどちらのアッセイによっても検出されなかった抗体を表す。領域II（ＥＬＩＳＡ＋／ＥＣＬＡ−）及びIII（ＥＣＬＡ＋／ＥＬＩＳＡ＋）の抗体は、候補高結合親和性抗２Ｈ７抗体を表す。領域IV（ＥＣＬＡ＋／ＥＬＩＳＡ−）の抗体は、候補低親和性抗２Ｈ７抗体を表す。領域IVの抗体は、ＥＬＩＳＡにより検出されない抗２Ｈ７抗体の集団を表す。ＥＣＬＡ−／ＥＬＩＳＡ＋である抗体は、例えばＥＣＬＡで用いるビオチンや化学標識によって、ＥＣＬＡアッセイにおいて、遮蔽されるか又は変更される結合部位で標的抗２Ｈ７を結合する候補抗体を含む。
【図３】ＥＣＬＡ反応及びＥＬＩＳＡ反応に従ってプロットされる選択された抗体の平衡解離定数（Ｋｄｉｓｓｏｃ）を示す。領域II（ＥＣＬＡ−／ＥＬＩＳＡ＋）の抗体の解離速度定数は、およそ１０−３〜１０−５ｌ／秒の範囲であった、領域III（ＥＣＬＡ＋／ＥＬＩＳＡ＋）の抗体のものは、およそ１０−４ｌ／秒以下であった（表１及び図３）、領域IV（ＥＣＬＡ＋／ＥＬＩＳＡ−）の抗体のものは、およそ１０−２〜１０−４ｌ／秒の範囲であった（表１及び図３）。およそ１０−２ｌ／秒のＫｄｉｓｓｏｃを有する抗体は、領域IVだけにみられた。領域IVの抗体のＫｄｉｓｓｏｃは、１０−５ｌ／秒であった。
【図４】ＥＣＬＡ反応及びＥＬＩＳＡ反応に従ってプロットされる選択された抗体の重鎖アアイソタイプを示す。領域IIの２つの抗体を除いて、試験されたすべての抗体はκ軽鎖を含有した。これら２つの抗体はλ軽鎖を含有しており、図４の囲みで示す。領域II（ＥＣＬＡ−／ＥＬＩＳＡ＋）の抗体は、ＩｇＧ１又はＩｇＧ２ｂの重鎖アイソタイプを含有した。領域III（ＥＣＬＡ＋／ＥＬＩＳＡ＋）の抗体は、ＩｇＧ１又はＩｇＧ２ｂの重鎖アイソタイプを含有した。領域IV（ＥＣＬＡ＋／ＥＬＩＳＡ−）の抗体は、ＩｇＧ、ＩｇＧ２ａ、ＩｇＧ２ｂ又はＩｇＧ３の重鎖アイソタイプを含有した。
【図５】Biacoreアッセイにおけるベバチズマブ(bevacizumab)に対する抗ベバチズマブポリクローナル抗体結合の標準曲線を示す。抗体量（ｎＭ）は反応（ＲＵ）に対してプロットされる。
【図１】
2007538258.tif 000005
【図２】
2007538258.tif 000006
【図３】
2007538258.tif 000007
【図４】
2007538258.tif 000008
【図５】
2007538258.tif 000009
【手続補正書】
【提出日】平成18年2月13日(2006.2.13)
【手続補正１】
【補正対象書類名】特許請求の範囲
【補正対象項目名】全文
【補正方法】変更
【補正の内容】
【特許請求の範囲】
【請求項１】
標的分子に選択的に結合する候補分析物分子にて、分析物分子のプールを濃縮する方法であって、
(ａ)標的分子に結合する分析物分子のプールの各々のメンバーについてＥＣＬＡ反応を測定すること；
(ｂ)標的分子に結合する分析物分子のプールの各々のメンバーについてＩＡ反応を測定すること；
(ｃ)   i) ＩＡ−／ＥＣＬＡ＋で、低親和性分析物分子について濃縮されたもの；
ii) ＩＡ＋／ＥＣＬＡ＋またはＩＡ＋／ＥＣＬＡ−で、高親和性分析物分子について濃縮されたもの；ないしは
iii)ＩＡ＋／ＥＣＬＡ−で、ＥＣＬＡに認識されない結合部位で標的分子に結合する分析物分子について濃縮されたもの；
を含む候補分析物分子のプールを生成すること；
を含んでなる方法。
【請求項２】
前記候補分析物分子のプールがＩＡ−／ＥＣＬＡ＋であり、低親和性分析物分子について濃縮されている、請求項１に記載の方法。
【請求項３】
前記候補分析物分子のプールがＩＡ＋／ＥＣＬＡ＋又はＩＡ＋／ＥＣＬＡ−であり、高親和性分析物分子について濃縮されている、請求項２に記載の方法。
【請求項４】
前記候補分析物分子のプールがＩＡ＋／ＥＣＬＡ−で、ＥＣＬＡに認識されない結合部位で標的分子に結合する分析物分子について濃縮されている、請求項２に記載の方法。
【請求項５】
分析物分子のプールから候補低親和性分析物分子を同定する方法であって、
(ａ)標的分子に結合する分析物分子のプールの各々のメンバーについてＥＣＬＡ反応を測定すること；及び
(ｂ)標的分子に結合する分析物分子のプールの各々のメンバーについてＩＡ反応を測定すること；
を含み、ＩＡ−／ＥＣＬＡ＋である分析物分子が候補低親和性分子として同定される方法。
【請求項６】
(ａ)検出限界をＥＣＬＡ反応の分析にあてはめて、ＥＣＬＡ反応がＥＣＬＡ検出限界と同じかより大きければＥＣＬＡ＋分析物分子と同定し、ＥＣＬＡ反応がＥＣＬＡ検出限界より小さければＥＣＬＡ−分析物分子と同定すること；及び
(ｂ)検出限界をＥＬＩＳＡ反応の分析にあてはめて、ＥＬＩＳＡ反応がＥＬＩＳＡ検出限界と同じかより大きければＥＬＩＳＡ＋であり、ＥＬＩＳＡ反応がＥＬＩＳＡ検出限界より小さければＥＬＩＳＡ−である；
ことをさらに含む、請求項１ないし５の何れか一に記載の方法。
【請求項７】
前記ＥＬＩＳＡ検出限界は６５０ｎｍで０．５Ｏ.Ｄ.である、請求項６に記載の方法。
【請求項８】
前記ＥＣＬＡ反応の検出限界は２５０ＥＣＬＡである、請求項６に記載の方法。
【請求項９】
さらに、濃縮された候補分析物分子のプールから選択される分析物分子の特異的な結合親和性を確認することを含む、請求項１ないし８の何れか一に記載の方法。
【請求項１０】
およそ１０−６ｌ／秒か又は小さいＫｄｉｓｓｏｃにより高親和性分析物分子を同定する、請求項９に記載の方法。
【請求項１１】
およそ１０−６ｌ／秒より大きいＫｄｉｓｓｏｃにより低親和性分析物分子を同定する、請求項９に記載の方法。
【請求項１２】
およそ１０−５ｌ／秒より大きいか同じＫｄｉｓｓｏｃにより低親和性分析物分子を同定する、請求項９に記載の方法。
【請求項１３】
およそ１０−３ｌ／秒より大きいか同じＫｄｉｓｓｏｃにより低親和性分析物分子を同定する、請求項９に記載の方法。
【請求項１４】
およそ１０−８Ｍと同じかより大きいＫＤにより低親和性分析物分子を同定する、請求項９に記載の方法。
【請求項１５】
およそ１０−６Ｍからおよそ１０−８ＭのＫＤにより低親和性分析物分子を同定する、請求項９に記載の方法。
【請求項１６】
前記分析物分子が抗体ないしはその抗原結合部位である、請求項１ないし１５の何れか一に記載の方法。
【請求項１７】
前記抗体が抗治療的抗体である、請求項１６に記載の方法。
【請求項１８】
前記標的分子が抗原である、請求項１ないし１７の何れか一に記載の方法。
【請求項１９】
前記抗原が抗体ないしはその抗原結合部位である、請求項１８に記載の方法。
【請求項２０】
前記標的分子が、抗体ないしはその抗原結合断片である、請求項１ないし１７の何れか一に記載の方法。
【請求項２１】
前記抗体が治療的抗体である、請求項１９又は２０に記載の方法。
【請求項２２】
前記抗体がＣＤ２０に結合する、請求項２１に記載の方法。
【請求項２３】
前記抗体がＶＥＧＦに結合する、請求項２１に記載の方法。
【請求項２４】
前記分析物又は標的抗体がモノクローナルである、請求項１ないし２３の何れか一に記載の方法。
【請求項２５】
さらに、分析物抗体のアイソタイプを決定することを含む、請求項１ないし２４の何れか一に記載の方法。
【請求項２６】
前記分析物抗体がＩｇＧである、請求項１ないし２５の何れか一に記載の方法。
【請求項２７】
請求項１ないし２６の何れか一に記載の方法によって選択された１０−２から１０−６の範囲のＫｄｉｓｓｏｃを有する抗体であって、標的分子が抗ＶＥＧＦ抗体、抗ＨＥＲ２抗体、抗ＣＤ２０抗体、抗ＩｇＥ抗体、抗ＣＤ１１ａ抗体、又はそれらの抗原結合断片である、抗体。
【請求項２８】
請求項１ないし２６の何れか一に記載の方法によって選択された１０−６Ｍから１０−８Ｍの範囲のＫＤを有する抗体であって、標的分子が抗ＶＥＧＦ抗体、抗ＨＥＲ２抗体、抗ＣＤ２０抗体、抗ＩｇＥ抗体、抗ＣＤ１１ａ抗体、又はそれらの抗原結合断片である、抗体。
【請求項２９】
前記標的分子が２Ｈ７又はベバチズマブである、請求項２７又は２８に記載の抗体。
【請求項３０】
標的分子に対して１０−２から１０−６の範囲のＫｄｉｓｓｏｃを有する一又は複数の抗体であって、標的分子に対する免疫反応を検出するアッセイにおいて、請求項１ないし２６の何れか一に記載の方法によって選択される一又は複数の抗体の使用。
【請求項３１】
標的分子に対して１０−６Ｍから１０−８Ｍの範囲のＫＤを有する一又は複数の抗体であって、標的分子に対する免疫反応を検出するアッセイにおいて、請求項１ないし２６の何れか一に記載の方法によって選択される一又は複数の抗体の使用。
【請求項３２】
前記標的分子が、抗ＶＥＧＦ抗体、抗ＨＥＲ２抗体、抗ＣＤ２０抗体、抗ＩｇＥ抗体、抗ＣＤ１１ａ抗体、又はそれらの抗原結合断片である、請求項３０又は３１に記載の使用。
【請求項３３】
前記標的分子が２Ｈ７又はベバチズマブである、請求項３０に記載の使用。
【請求項３４】
前記標的分子がベバチズマブである、請求項３１に記載の使用。
【請求項３５】
標的分子に対する高親和性抗体を産生する方法であって、請求項１ないし２６の何れか一に記載の方法によって選択された低親和性抗体を親和性成熟に用いて、それによって標的分子に対して高い親和性を有する親和性成熟抗体を産生することを含む、方法。
【請求項３６】
前記低親和性抗体が１０−２から１０−６の範囲のＫｄｉｓｓｏｃを有する、請求項３５に記載の方法。
【請求項３７】
前記低親和性抗体が１０−６Ｍから１０−８Ｍの範囲のＫＤを有する、請求項３５に記載の方法。
【請求項３８】
前記高親和性抗体がおよそ１０−６ｌ／秒ないしはそれより小さいＫｄｉｓｓｏｃを有する、請求項３５ないし３７の何れか一に記載の方法。
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
標的分子に選択的に結合する候補分析物分子にて、分析物分子のプールを濃縮する方法であって、
(ａ)標的分子に結合する分析物分子のプールの各々のメンバーについてＥＣＬＡ反応を測定すること；
(ｂ)標的分子に結合する分析物分子のプールの各々のメンバーについてＩＡ反応を測定すること；
(ｃ)   i) ＩＡ−／ＥＣＬＡ＋で、低親和性分析物分子について濃縮されたもの；
ii) ＩＡ＋／ＥＣＬＡ＋またはＩＡ＋／ＥＣＬＡ−で、高親和性分析物分子について濃縮されたもの；ないしは
iii)ＩＡ＋／ＥＣＬＡ−で、ＥＣＬＡに認識されない結合部位で標的分子に結合する分析物分子について濃縮されたもの；
を含む候補分析物分子のプールを生成すること；
を含んでなる方法。
【請求項２】
前記候補分析物分子のプールがＩＡ−／ＥＣＬＡ＋であり、低親和性分析物分子について濃縮されている、請求項１に記載の方法。
【請求項３】
前記候補分析物分子のプールがＩＡ＋／ＥＣＬＡ＋又はＩＡ＋／ＥＣＬＡ−であり、高親和性分析物分子について濃縮されている、請求項２に記載の方法。
【請求項４】
前記候補分析物分子のプールがＩＡ＋／ＥＣＬＡ−で、ＥＣＬＡに認識されない結合部位で標的分子に結合する分析物分子について濃縮されている、請求項２に記載の方法。
【請求項５】
分析物分子のプールから候補低親和性分析物分子を同定する方法であって、
(ａ)標的分子に結合する分析物分子のプールの各々のメンバーについてＥＣＬＡ反応を測定すること；及び
(ｂ)標的分子に結合する分析物分子のプールの各々のメンバーについてＩＡ反応を測定すること；
を含み、ＩＡ−／ＥＣＬＡ＋である分析物分子が候補低親和性分子として同定される方法。
【請求項６】
(ａ)検出限界をＥＣＬＡ反応の分析にあてはめて、ＥＣＬＡ反応がＥＣＬＡ検出限界と同じかより大きければＥＣＬＡ＋分析物分子と同定し、ＥＣＬＡ反応がＥＣＬＡ検出限界より小さければＥＣＬＡ−分析物分子と同定すること；及び
(ｂ)検出限界をＥＬＩＳＡ反応の分析にあてはめて、ＥＬＩＳＡ反応がＥＬＩＳＡ検出限界と同じかより大きければＥＬＩＳＡ＋であり、ＥＬＩＳＡ反応がＥＬＩＳＡ検出限界より小さければＥＬＩＳＡ−である；
ことをさらに含む、請求項１ないし５の何れか一に記載の方法。
【請求項７】
前記ＥＬＩＳＡ検出限界は６５０ｎｍで０．５Ｏ.Ｄ.である、請求項６に記載の方法。
【請求項８】
前記ＥＣＬＡ反応の検出限界は２５０ＥＣＬＡである、請求項６に記載の方法。
【請求項９】
さらに、濃縮された候補分析物分子のプールから選択される分析物分子の特異的な結合親和性を確認することを含む、請求項１ないし８の何れか一に記載の方法。
【請求項１０】
およそ１０−６ｌ／秒か又は小さいＫｄｉｓｓｏｃにより高親和性分析物分子を同定する、請求項９に記載の方法。
【請求項１１】
およそ１０−６ｌ／秒より大きいＫｄｉｓｓｏｃにより低親和性分析物分子を同定する、請求項９に記載の方法。
【請求項１２】
およそ１０−５ｌ／秒より大きいか同じＫｄｉｓｓｏｃにより低親和性分析物分子を同定する、請求項９に記載の方法。
【請求項１３】
およそ１０−３ｌ／秒より大きいか同じＫｄｉｓｓｏｃにより低親和性分析物分子を同定する、請求項９に記載の方法。
【請求項１４】
およそ１０−８Ｍと同じかより大きいＫＤにより低親和性分析物分子を同定する、請求項９に記載の方法。
【請求項１５】
およそ１０−６Ｍからおよそ１０−８ＭのＫＤにより低親和性分析物分子を同定する、請求項９に記載の方法。
【請求項１６】
前記分析物分子が抗体ないしはその抗原結合部位である、請求項１ないし１５の何れか一に記載の方法。
【請求項１７】
前記抗体が抗治療的抗体である、請求項１６に記載の方法。
【請求項１８】
前記標的分子が抗原である、請求項１ないし１７の何れか一に記載の方法。
【請求項１９】
前記抗原が抗体ないしはその抗原結合部位である、請求項１８に記載の方法。
【請求項２０】
前記標的分子が、抗体ないしはその抗原結合断片である、請求項１ないし１７の何れか一に記載の方法。
【請求項２１】
前記抗体が治療的抗体である、請求項１９又は２０に記載の方法。
【請求項２２】
前記抗体がＣＤ２０に結合する、請求項２１に記載の方法。
【請求項２３】
前記抗体がＶＥＧＦに結合する、請求項２１に記載の方法。
【請求項２４】
前記分析物又は標的抗体がモノクローナルである、請求項１ないし２３の何れか一に記載の方法。
【請求項２５】
さらに、分析物抗体のアイソタイプを決定することを含む、請求項１ないし２４の何れか一に記載の方法。
【請求項２６】
前記分析物抗体がＩｇＧである、請求項１ないし２５の何れか一に記載の方法。
【請求項２７】
請求項１ないし２６の何れか一に記載の方法によって選択された１０−２から１０−６の範囲のＫｄｉｓｓｏｃを有する抗体であって、標的分子が抗ＶＥＧＦ抗体、抗ＨＥＲ２抗体、抗ＣＤ２０抗体、抗ＩｇＥ抗体、抗ＣＤ１１ａ抗体、又はそれらの抗原結合断片である、抗体。
【請求項２８】
請求項１ないし２６の何れか一に記載の方法によって選択された１０−６Ｍから１０−８Ｍの範囲のＫＤを有する抗体であって、標的分子が抗ＶＥＧＦ抗体、抗ＨＥＲ２抗体、抗ＣＤ２０抗体、抗ＩｇＥ抗体、抗ＣＤ１１ａ抗体、又はそれらの抗原結合断片である、抗体。
【請求項２９】
前記標的分子が２Ｈ７又はベバチズマブである、請求項２７又は２８に記載の抗体。
【請求項３０】
標的分子に対して１０−２から１０−６の範囲のＫｄｉｓｓｏｃを有する一又は複数の抗体であって、標的分子に対する免疫反応を検出するアッセイにおいて、請求項１ないし２６の何れか一に記載の方法によって選択される一又は複数の抗体の使用。
【請求項３１】
標的分子に対して１０−６Ｍから１０−８Ｍの範囲のＫＤを有する一又は複数の抗体であって、標的分子に対する免疫反応を検出するアッセイにおいて、請求項１ないし２６の何れか一に記載の方法によって選択される一又は複数の抗体の使用。
【請求項３２】
前記標的分子が、抗ＶＥＧＦ抗体、抗ＨＥＲ２抗体、抗ＣＤ２０抗体、抗ＩｇＥ抗体、抗ＣＤ１１ａ抗体、又はそれらの抗原結合断片である、請求項３０又は３１に記載の使用。
【請求項３３】
前記標的分子が２Ｈ７又はベバチズマブである、請求項３０に記載の使用。
【請求項３４】
前記標的分子がベバチズマブである、請求項３１に記載の使用。
【請求項３５】
標的分子に対する高親和性抗体を産生する方法であって、請求項１ないし２６の何れか一に記載の方法によって選択された低親和性抗体を親和性成熟に用いて、それによって標的分子に対して高い親和性を有する親和性成熟抗体を産生することを含む、方法。
【請求項３６】
前記低親和性抗体が１０−２から１０−６の範囲のＫｄｉｓｓｏｃを有する、請求項３５に記載の方法。
【請求項３７】
前記低親和性抗体が１０−６Ｍから１０−８Ｍの範囲のＫＤを有する、請求項３５に記載の方法。
【請求項３８】
前記高親和性抗体がおよそ１０−６ｌ／秒ないしはそれより小さいＫｄｉｓｓｏｃを有する、請求項３５ないし３７の何れか一に記載の方法。
【国際調査報告】
2007538258.tif 000010
2007538258.tif 000011